(57)【要約】  アクセスノードを動作させるための方法は、1つまたは複数の第1のチャネル状態情報参照信号（CSI−RS）リソースの構成および1つまたは複数のサウンディング参照シンボル（SRS）リソースの構成を送信するステップと、1つまたは複数のプリコーダによってプリコードされた1つまたは複数のSRSリソースを含むSRSリソースセットの識別子を含む第1の制御情報を生成するステップと、1つまたは複数の第1のCSI−RSリソースの識別子を含む第2の制御情報を生成するステップであって、1つまたは複数の第1のCSI−RSリソースが識別されたSRSリソースセットと関連付けられており、1つまたは複数の第1のCSI−RSリソースが測定を行うために使用される下り参照信号（RS）を運び、1つまたは複数のプリコーダが下りRSの測定値に従って決定される、ステップと、第1の制御情報および第2の制御情報を送信するステップと、下りRSを送信するステップと、を含む。
2020537426.tif 000002
【特許請求の範囲】
【請求項１】
アクセスノードを動作させるためのコンピュータ実装方法であって、前記方法が、
前記アクセスノードがユーザ機器（UE）に、1つまたは複数の第1のチャネル状態情報参照信号（CSI−RS）リソースの構成および1つまたは複数のサウンディング参照シンボル（SRS）リソースの構成を送信するステップと、
前記アクセスノードが、1つまたは複数のプリコーダによってプリコードされた前記1つまたは複数のSRSリソースを含むSRSリソースセットの識別子を含む第1の制御情報を生成するステップと、
前記アクセスノードが、前記1つまたは複数の第1のCSI−RSリソースの識別子を含む第2の制御情報を生成するステップであって、前記1つまたは複数の第1のCSI−RSリソースが前記識別されたSRSリソースセットと関連付けられており、前記1つまたは複数の第1のCSI−RSリソースが測定を行うために使用される下り参照信号（RS）を運び、前記1つまたは複数のプリコーダが前記下りRSの測定値に従って決定される、ステップと、
前記アクセスノードが、前記第1の制御情報および前記第2の制御情報を送信するステップと、
前記アクセスノードが、前記下りRSを送信するステップと
を含む、コンピュータ実装方法。
【請求項２】
前記1つまたは複数のSRSリソースをプリコードするために使用される前記1つまたは複数のプリコーダが前記1つまたは複数の第1のCSI−RSリソースのうちの少なくとも1つに従って導出される、請求項1に記載の方法。
【請求項３】
前記第2の制御情報が第2のCSI−RSリソースを含む複数の第1のCSI−RSリソースを識別する場合、前記方法が、
前記アクセスノードが、前記第2のCSI−RSリソースの識別子を含む第3の制御情報を生成するステップと、
前記アクセスノードが、前記第3の制御情報を送信するステップであって、前記第3の制御情報が、媒体アクセス制御制御要素（MAC CE）または下り制御情報（DCI）メッセージで送信される、ステップと、
前記アクセスノードが、前記第2のCSI−RSリソースで前記CSI−RSを送信するステップと
をさらに含む、請求項1に記載の方法。
【請求項４】
前記方法が、
前記アクセスノードが、1つまたは複数の報告設定を送信するステップであって、前記1つまたは複数の報告設定のうちの少なくとも1つの第1の報告設定がチャネル状態情報（CSI）報告構成を含み、前記第1の制御情報が前記1つまたは複数の報告設定のうちの少なくとも1つの第2の報告設定に含まれる、ステップと、
前記アクセスノードが、CSI要求フィールドを送信するステップであって、前記CSI要求フィールドの少なくとも1つの状態が、前記第1の制御情報を含む前記少なくとも1つの第2の報告設定の識別子を含み、前記CSI要求フィールドがDCIメッセージで送信される、ステップと
をさらに含む、請求項3に記載の方法。
【請求項５】
前記第2の制御情報が第2のCSI−RSリソースを含む複数のCSI−RSリソースを識別し、前記CSI要求フィールドの少なくとも1つの状態が、前記第1の制御情報を含む前記少なくとも1つの第2の報告設定の前記識別子を含む場合、前記第3の制御情報が前記CSI要求フィールドに含まれ、前記CSI要求フィールドの前記少なくとも1つの状態が前記第2のCSI−RSリソースの前記識別子も含む、請求項4に記載の方法。
【請求項６】
前記第2のCSI−RSリソースの前記識別子を含むCSI要求フィールドの前記状態が、報告がトリガされないことを伝える情報も含む、請求項5に記載の方法。
【請求項７】
前記下りRSが、前記CSI要求フィールドを送信するために使用されるネットワークリソースで、または前記CSI要求フィールドを送信するために使用される前記ネットワークリソースの後の第1の数のネットワークリソースで送信され、前記方法が、前記アクセスノードが、前記下りRSを送信するために使用される前記ネットワークリソースの後の第2の数のネットワークリソースで少なくとも1つのSRSリソースを受信するステップをさらに含む、請求項6に記載の方法。
【請求項８】
前記第1の制御情報がSRS要求フィールドに含まれ、前記SRS要求フィールドの少なくとも1つの状態が前記SRSリソースセットの前記識別子を含む、請求項3に記載の方法。
【請求項９】
前記第2の制御情報が第2のCSI−RSリソースを含む複数の第1のCSI−RSリソースを識別する場合、および前記SRS要求フィールドの前記少なくとも1つの状態が前記第1の制御情報を含み、前記第3の制御情報が前記SRS要求フィールドに含まれ、前記SRS要求フィールドの前記少なくとも1つの状態が前記第2のCSI−RSリソースの前記識別子も含む、請求項8に記載の方法。
【請求項１０】
前記CSI−RSが、前記SRS要求フィールドを送信するために使用されるネットワークリソースで、または前記SRS要求フィールドを送信するために使用される前記ネットワークリソースの後の第1の数のネットワークリソースで送信され、前記方法が、前記アクセスノードが、前記CSI−RSを送信するために使用される前記ネットワークリソースの後の第2の数のネットワークリソースで少なくとも1つのSRSリソースを受信するステップであって、前記ネットワークリソースが、スロット、サブフレーム、または直交周波数分割多重（OFDM）シンボルのうちの1つである、ステップ、をさらに含む、請求項9に記載の方法。
【請求項１１】
前記第2の制御情報が、前記SRSリソースセットの前記識別子と、前記SRS要求フィールドの前記少なくとも1つの状態の少なくとも1つのインデックスとをさらに含む、請求項10に記載の方法。
【請求項１２】
前記第2のCSI−RSリソースがCSI報告構成を含む報告設定と関連付けられていない、請求項10に記載の方法。
【請求項１３】
前記第2のCSI−RSリソースが報告設定と関連付けられており、前記CSI報告設定が報告なしに設定された報告内容値で構成される、請求項10に記載の方法。
【請求項１４】
ユーザ機器（UE）を動作させるためのコンピュータ実装方法であって、前記方法が、
前記UEが、1つまたは複数の第1のチャネル状態情報参照信号（CSI−RS）リソースの構成および1つまたは複数のサウンディング参照シンボル（SRS）リソースの構成を受信するステップと、
前記UEが、1つまたは複数のSRSリソースを含むSRSリソースセットの識別子を含む第1の制御情報を受信するステップと、
前記UEが、1つまたは複数の第1のCSI−RSリソースの識別子を含む第2の制御情報を受信するステップであって、前記1つまたは複数の第1のCSI−RSリソースが前記識別されたSRSリソースセットと関連付けられている、ステップと、
前記UEが、前記1つまたは複数のCSI−RSリソースのうちの1つで受信される下り参照信号（RS）の測定値に従って前記1つまたは複数のSRSリソースでSRSを伝送するための1つまたは複数のプリコーダを決定するステップと、
前記UEが、前記1つまたは複数のSRSリソースで前記1つまたは複数のプリコーダを使用して前記SRSを送信するステップと
を含む、コンピュータ実装方法。
【請求項１５】
前記第2の制御情報が第2のCSI−RSリソースを含む複数の第1のCSI−RSリソースを識別する場合、前記方法が、
前記UEが、前記第2のCSI−RSリソースの識別子を含む第3の制御情報を受信するステップであって、前記第3の制御情報が媒体アクセス制御制御要素（MAC CE）または下り制御情報（DCI）メッセージで送信される、ステップと、
前記UEが、前記第2のCSI−RSリソースで前記CSI−RSを受信するステップと、
前記UEが、前記第2のCSI−RSリソースにおける前記CSI−RSを測定することによって前記1つまたは複数のSRSリソースでSRSを伝送するために使用される前記プリコーダを決定するステップと
をさらに含む、請求項14に記載の方法。
【請求項１６】
前記方法が、
前記UEが、1つまたは複数の報告設定を受信するステップであって、前記1つまたは複数の報告設定のうちの少なくとも1つの第1の報告設定がチャネル状態情報（CSI）報告構成を含み、前記第1の制御情報が前記1つまたは複数の報告設定のうちの少なくとも1つの第2の報告設定に含まれる、ステップと、
前記UEが、CSI要求フィールドを受信するステップであって、前記CSI要求フィールドの少なくとも1つの状態が、前記第1の制御情報を含む前記少なくとも1つの第2の報告設定の識別子を含み、前記CSI要求フィールドがDCIメッセージで送信される、ステップと
をさらに含む、請求項15に記載の方法。
【請求項１７】
前記第1の制御情報がSRS要求フィールドに含まれ、前記SRS要求フィールドの少なくとも1つの状態が前記SRSリソースセットの前記識別子を含む、請求項15に記載の方法。
【請求項１８】
前記第2の制御情報が第2のCSI−RSリソースを含む複数の第1のCSI−RSリソースを識別する場合、および前記SRS要求フィールドの前記少なくとも1つの状態が前記第1の制御情報を含み、前記第3の制御情報がSRS要求フィールドに含まれ、前記SRS要求フィールドの前記少なくとも1つの状態が前記第2のCSI−RSリソースの前記識別子も含む、請求項17に記載の方法。
【請求項１９】
前記CSI−RSが、前記SRS要求フィールドを受信するために使用されるネットワークリソースの1つで、または前記SRS要求フィールドを受信するために使用される前記ネットワークリソースの後の第1の数のネットワークリソースで受信され、前記方法が、前記UEが、前記CSI−RSを受信するために使用される前記ネットワークリソースの後の第2の数のネットワークリソースで少なくとも1つのSRSリソースを送信するステップであって、前記ネットワークリソースが、スロット、サブフレーム、または直交周波数分割多重（OFDM）シンボルのうちの1つである、ステップ、をさらに含む、請求項17に記載の方法。
【請求項２０】
命令を含む非一時的メモリストレージと、
前記メモリストレージと通信する1つまたは複数のプロセッサであって、前記1つまたは複数のプロセッサが、
ユーザ機器（UE）に、1つまたは複数の第1のチャネル状態情報参照信号（CSI−RS）リソースの構成および1つまたは複数のサウンディング参照シンボル（SRS）リソースの構成を送信する命令と、
1つまたは複数のプリコーダによってプリコードされた前記1つまたは複数のSRSリソースを含むSRSリソースセットの識別子を含む第1の制御情報を生成する命令と、
1つまたは複数の第1のCSI−RSリソースの識別子を含む第2の制御情報を生成する命令であって、前記1つまたは複数の第1のCSI−RSリソースが前記識別されたSRSリソースセットと関連付けられており、前記1つまたは複数の第1のCSI−RSリソースが測定を行うために使用される下り参照信号（RS）を運び、前記1つまたは複数のプリコーダが前記下りRSの測定値に従って決定される、命令と、
前記第1の制御情報および前記第2の制御情報を送信する命令と、
前記下りRSを送信する命令と
を実行する、1つまたは複数のプロセッサと
を含む、アクセスノード。
【請求項２１】
前記第2の制御情報が第2のCSI−RSリソースを含む複数の第1のCSI−RSリソースを識別する場合、前記1つまたは複数のプロセッサが、前記第2のCSI−RSリソースの識別子を含む第3の制御情報を生成する命令と、前記第3の制御情報を送信する命令であって、前記第3の制御情報が媒体アクセス制御制御要素（MAC CE）または下り制御情報（DCI）メッセージで送信される、命令と、前記第2のCSI−RSリソースで前記CSI−RSを送信する命令と、をさらに実行する、請求項20に記載のアクセスノード。
【請求項２２】
前記1つまたは複数のプロセッサが、1つまたは複数の報告設定を送信する命令であって、前記1つまたは複数の報告設定のうちの少なくとも1つの第1の報告設定がチャネル状態情報（CSI）報告構成を含み、前記第1の制御情報が前記1つまたは複数の報告設定のうちの少なくとも1つの第2の報告設定に含まれる、命令と、CSI要求フィールドを送信する命令であって、前記CSI要求フィールドの少なくとも1つの状態が、前記第1の制御情報を含む前記少なくとも1つの第2の報告設定の識別子を含み、前記CSI要求フィールドがDCIメッセージで送信される、命令と、をさらに実行する、請求項21に記載のアクセスノード。
【請求項２３】
前記第1の制御情報がSRS要求フィールドに含まれ、前記SRS要求フィールドの少なくとも1つの状態が前記SRSリソースセットの前記識別子を含み、前記第2の制御情報が第2のCSI−RSリソースを含む複数の第1のCSI−RSリソースを識別し、前記SRS要求フィールドの少なくとも1つの状態が前記第1の制御情報を含む場合、前記第3の制御情報がSRS要求フィールドに含まれ、前記SRS要求フィールドの前記少なくとも1つの状態が前記第2のCSI−RSリソースの前記識別子も含む、請求項20に記載のアクセスノード。
【請求項２４】
命令を含む非一時的メモリストレージと、
前記メモリストレージと通信する1つまたは複数のプロセッサであって、前記1つまたは複数のプロセッサが、
1つまたは複数の第1のチャネル状態情報参照信号（CSI−RS）リソースの構成および1つまたは複数のサウンディング参照シンボル（SRS）リソースの構成を受信する命令と、
1つまたは複数のSRSリソースを含むSRSリソースセットの識別子を含む第1の制御情報を受信する命令と、
1つまたは複数の第1のCSI−RSリソースの識別子を含む第2の制御情報を受信する命令であって、前記1つまたは複数の第1のCSI−RSリソースが前記識別されたSRSリソースセットと関連付けられている、命令と、
前記1つまたは複数のCSI−RSリソースのうちの1つで受信される下り参照信号（RS）の測定値に従って前記1つまたは複数のSRSリソースでSRSを伝送するための1つまたは複数のプリコーダを決定する命令と、
前記1つまたは複数のSRSリソースで前記1つまたは複数のプリコーダを使用して前記SRSを送信する命令と
を実行する、1つまたは複数のプロセッサと
を含む、ユーザ機器（UE）。
【請求項２５】
前記第2の制御情報が第2のCSI−RSリソースを含む複数のCSI−RSリソースを識別する場合、前記1つまたは複数のプロセッサが、前記第2のCSI−RSリソースの識別子を含む第3の制御情報を受信する命令であって、前記第3の制御情報が媒体アクセス制御制御要素（MAC CE）または下り制御情報（DCI）メッセージで送信される、命令と、前記第2のCSI−RSリソースにおける前記CSI−RSを受信する命令と、前記第2のCSI−RSリソースにおける前記CSI−RSを測定することによって前記1つまたは複数のSRSリソースでSRSを伝送するために使用される前記プリコーダを決定する命令と、をさらに実行する、請求項24に記載のUE。
【請求項２６】
前記1つまたは複数のプロセッサが、1つまたは複数の報告設定を受信する命令であって、前記1つまたは複数の報告設定のうちの少なくとも1つの第1の報告設定がチャネル状態情報（CSI）報告構成を含み、前記第1の制御情報が前記1つまたは複数の報告設定のうちの少なくとも1つの第2の報告設定に含まれる、命令と、CSI要求フィールドを受信する命令であって、前記CSI要求フィールドの少なくとも1つの状態が、前記第1の制御情報を含む前記少なくとも1つの第2の報告設定の識別子を含み、前記CSI要求フィールドが前記DCIメッセージで送信される、命令と、をさらに実行する、請求項25に記載のUE。
【請求項２７】
前記第1の制御情報がSRS要求フィールドに含まれ、前記SRS要求フィールドの少なくとも1つの状態が前記SRSリソースセットの前記識別子を含み、前記第2の制御情報が第2のCSI−RSリソースを含む複数の第1のCSI−RSリソースを識別し、前記SRS要求フィールドの前記少なくとも1つの状態が前記第1の制御情報を含む場合、前記第3の制御情報がSRS要求フィールドに含まれ、前記SRS要求フィールドの前記少なくとも1つの状態が前記第2のCSI−RSリソースの前記識別子も含む、請求項24に記載のUE。
【請求項２８】
前記CSI−RSが、前記SRS要求フィールドを受信するために使用されるネットワークリソースの1つで、または前記SRS要求フィールドを受信するために使用される前記ネットワークリソースの後の第1の数のネットワークリソースで受信され、前記方法が、前記UEが、前記CSI−RSを受信するために使用される前記ネットワークリソースの後の第2の数のネットワークリソースで少なくとも1つのSRSリソースを送信するステップであって、前記ネットワークリソースが、スロット、サブフレーム、または直交周波数分割多重（OFDM）シンボルのうちの1つである、ステップ、をさらに含む、請求項24に記載のUE。
【発明の詳細な説明】
【技術分野】
【０００１】
本出願は、2017年10月10日に出願された、「System and Method for Indicating Control Signaling」という名称の米国仮特許出願第62／570418号と、2017年11月22日に出願された、「System and Method for Indicating Control Signaling」という名称の米国仮特許出願第62／589945号との優先権を主張する、2018年6月22日に出願された、「System and Method for Control Signaling」という名称の米国非仮特許出願第16／015842号の優先権を主張するものであり、これらの出願はすべて参照によりその全体が本明細書に組み込まれる。
【０００２】
本開示は、一般に、デジタル通信のためのシステムおよび方法に関し、特定の実施形態においては、制御シグナリングのためのシステムおよび方法に関する。
【背景技術】
【０００３】
最新の通信システム、特に伝搬損失の高い通信システム（例えば、ミリ波波長以上で動作するもの）は、通信システム性能を高めるためにビームフォーミングを使用する。ビームフォーミングされた通信は、信号利得を増やすためにプリコーディングを使用して送信ビームまたは受信ビームを整形する。しかしながら、ビームフォーミングされた通信では、送信側デバイスまたは受信側デバイスでどのプリコーダを使用すべきかを判断して性能を最大化するために追加の通信オーバーヘッドが必要であることにより通信の複雑さが増加し得る。
【発明の概要】
【課題を解決するための手段】
【０００４】
例示的実施形態は、制御シグナリングのためのシステムおよび方法を提供する。
【０００５】
一例示的実施形態によれば、アクセスノードを動作させるためのコンピュータ実装方法が提供される。本方法は、アクセスノードがユーザ機器（UE）に、1つまたは複数の第1のチャネル状態情報参照信号（CSI−RS）リソースの構成および1つまたは複数のサウンディング参照シンボル（SRS）リソースの構成を送信するステップと、アクセスノードが、1つまたは複数のプリコーダによってプリコードされた1つまたは複数のSRSリソースを含むSRSリソースセットの識別子を含む第1の制御情報を生成するステップと、アクセスノードが、1つまたは複数の第1のCSI−RSリソースの識別子を含む第2の制御情報を生成するステップであって、1つまたは複数の第1のCSI−RSリソースが識別されたSRSリソースセットと関連付けられており、1つまたは複数の第1のCSI−RSリソースが測定を行うために使用される下り参照信号（RS）を運び、1つまたは複数のプリコーダが下りRSの測定値に従って決定される、ステップと、アクセスノードが、第1の制御情報および第2の制御情報を送信するステップと、アクセスノードが、下りRSを送信するステップと、を含む。
【０００６】
任意選択で、前述の実施形態のいずれかにおいて、1つまたは複数のSRSリソースをプリコードするために使用される1つまたは複数のプリコーダが1つまたは複数の第1のCSI−RSリソースのうちの少なくとも1つに従って導出される実施形態。
【０００７】
任意選択で、前述の実施形態のいずれかにおいて、第2の制御情報が第2のCSI−RSリソースを含む複数の第1のCSI−RSリソースを識別する場合、本方法が、アクセスノードが、第2のCSI−RSリソースの識別子を含む第3の制御情報を生成するステップと、アクセスノードが、第3の制御情報を送信するステップであって、第3の制御情報が、媒体アクセス制御制御要素（MAC CE）または下り制御情報（DCI）メッセージで送信される、ステップと、アクセスノードが、第2のCSI−RSリソースでCSI−RSを送信するステップと、をさらに含む、実施形態。
【０００８】
任意選択で、前述の実施形態のいずれかにおいて、本方法が、アクセスノードが、1つまたは複数の報告設定を送信するステップであって、1つまたは複数の報告設定のうちの少なくとも1つの第1の報告設定がチャネル状態情報（CSI）報告構成を含み、第1の制御情報が1つまたは複数の報告設定のうちの少なくとも1つの第2の報告設定に含まれる、ステップと、アクセスノードが、CSI要求フィールドを送信するステップであって、CSI要求フィールドの少なくとも1つの状態が、第1の制御情報を含む少なくとも1つの第2の報告設定の識別子を含み、CSI要求フィールドがDCIメッセージで送信される、ステップと、をさらに含む、実施形態。
【０００９】
任意選択で、前述の実施形態のいずれかにおいて、第2の制御情報が第2のCSI−RSリソースを含む複数のCSI−RSリソースを識別し、CSI要求フィールドの少なくとも1つの状態が、第1の制御情報を含む少なくとも1つの第2の報告設定の識別子を含む場合、第3の制御情報がCSI要求フィールドに含まれ、CSI要求フィールドの少なくとも1つの状態が第2のCSI−RSリソースの識別子も含む、実施形態。
【００１０】
任意選択で、前述の実施形態のいずれかにおいて、第2のCSI−RSリソースの識別子を含むCSI要求フィールドの状態が、報告がトリガされないことを伝える情報も含む、実施形態。
【００１１】
任意選択で、前述の実施形態のいずれかにおいて、下りRSが、CSI要求フィールドを送信するために使用されるネットワークリソースで、またはCSI要求フィールドを送信するために使用されるネットワークリソースの後の第1の数のネットワークリソースで送信され、本方法が、アクセスノードが、下りRSを送信するために使用されるネットワークリソースの後の第2の数のネットワークリソースで少なくとも1つのSRSリソースを受信するステップをさらに含む、実施形態。
【００１２】
任意選択で、前述の実施形態のいずれかにおいて、第1の制御情報がSRS要求フィールドに含まれ、SRS要求フィールドの少なくとも1つの状態がSRSリソースセットの識別子を含む、実施形態。
【００１３】
任意選択で、前述の実施形態のいずれかにおいて、第2の制御情報が第2のCSI−RSリソースを含む複数の第1のCSI−RSリソースを識別し、SRS要求フィールドの少なくとも1つの状態が第1の制御情報を含む場合、第3の制御情報がSRS要求フィールドに含まれ、SRS要求フィールドの少なくとも1つの状態が第2のCSI−RSリソースの識別子も含む、実施形態。
【００１４】
任意選択で、前述の実施形態のいずれかにおいて、CSI−RSが、SRS要求フィールドを送信するために使用されるネットワークリソースで、またはSRS要求フィールドを送信するために使用されるネットワークリソースの後の第1の数のネットワークリソースで送信され、本方法が、アクセスノードが、CSI−RSを送信するために使用されるネットワークリソースの後の第2の数のネットワークリソースで少なくとも1つのSRSリソースを受信するステップであって、ネットワークリソースが、スロット、サブフレーム、または直交周波数分割多重（OFDM）シンボルのうちの1つである、ステップ、をさらに含む、実施形態。
【００１５】
任意選択で、前述の実施形態のいずれかにおいて、第2の制御情報が、SRSリソースセットの識別子と、SRS要求フィールドの少なくとも1つの状態の少なくとも1つのインデックスとをさらに含む、実施形態。
【００１６】
任意選択で、前述の実施形態のいずれかにおいて、第2のCSI−RSリソースがCSI報告構成を含む報告設定と関連付けられていない、実施形態。
【００１７】
任意選択で、前述の実施形態のいずれかにおいて、第2のCSI−RSリソースが報告設定と関連付けられており、CSI報告設定が報告なしに設定された報告内容値で構成される、実施形態。
【００１８】
一例示的実施形態によれば、UEを動作させるためのコンピュータ実装方法が提供される。本方法は、UEが、1つまたは複数の第1のCSI−RSリソースの構成および1つまたは複数のSRSリソースの構成を受信するステップと、UEが、1つまたは複数のSRSリソースを含むSRSリソースセットの識別子を含む第1の制御情報を受信するステップと、UEが、1つまたは複数の第1のCSI−RSリソースの識別子を含む第2の制御情報を受信するステップであって、1つまたは複数の第1のCSI−RSリソースが識別されたSRSリソースセットと関連付けられている、ステップと、UEが、1つまたは複数のCSI−RSリソースのうちの1つで受信される下りRSの測定値に従って1つまたは複数のSRSリソースでSRSを伝送するための1つまたは複数のプリコーダを決定するステップと、UEが、1つまたは複数のSRSリソースで1つまたは複数のプリコーダを使用してSRSを送信するステップと、を含む。
【００１９】
任意選択で、前述の実施形態のいずれかにおいて、第2の制御情報が第2のCSI−RSリソースを含む複数の第1のCSI−RSリソースを識別する場合、本方法が、UEが、第2のCSI−RSリソースの識別子を含む第3の制御情報を受信するステップであって、第3の制御情報がMAC CEまたはDCIメッセージで送信される、ステップと、UEが、第2のCSI−RSリソースでCSI−RSを受信するステップと、UEが、第2のCSI−RSリソースにおけるCSI−RSを測定することによって1つまたは複数のSRSリソースでSRSを伝送するために使用されるプリコーダを決定するステップと、をさらに含む、実施形態。
【００２０】
任意選択で、前述の実施形態のいずれかにおいて、本方法が、UEが、1つまたは複数の報告設定を受信するステップであって、1つまたは複数の報告設定のうちの少なくとも1つの第1の報告設定がCSI報告構成を含み、第1の制御情報が1つまたは複数の報告設定のうちの少なくとも1つの第2の報告設定に含まれる、ステップと、UEが、CSI要求フィールドを受信するステップであって、CSI要求フィールドの少なくとも1つの状態が、第1の制御情報を含む少なくとも1つの第2の報告設定の識別子を含み、CSI要求フィールドがDCIメッセージで送信される、ステップと、をさらに含む、実施形態。
【００２１】
任意選択で、前述の実施形態のいずれかにおいて、第1の制御情報がSRS要求フィールドに含まれ、SRS要求フィールドの少なくとも1つの状態がSRSリソースセットの識別子を含む、実施形態。
【００２２】
任意選択で、前述の実施形態のいずれかにおいて、第2の制御情報が第2のCSI−RSリソースを含む複数の第1のCSI−RSリソースを識別し、SRS要求フィールドの少なくとも1つの状態が第1の制御情報を含む場合、第3の制御情報がSRS要求フィールドに含まれ、SRS要求フィールドの少なくとも1つの状態が第2のCSI−RSリソースの識別子も含む、実施形態。
【００２３】
任意選択で、前述の実施形態のいずれかにおいて、CSI−RSが、SRS要求フィールドを受信するために使用されるネットワークリソースの1つで、またはSRS要求フィールドを受信するために使用されるネットワークリソースの後の第1の数のネットワークリソースで受信され、本方法が、UEが、CSI−RSを受信するために使用されるネットワークリソースの後の第2の数のネットワークリソースで少なくとも1つのSRSリソースを送信するステップであって、ネットワークリソースが、スロット、サブフレーム、またはOFDMシンボルのうちの1つである、ステップ、を含む、実施形態。
【００２４】
一例示的実施形態によれば、アクセスノードが提供される。本アクセスノードは、命令を含む非一時的メモリストレージと、メモリストレージと通信する1つまたは複数のプロセッサとを含む。1つまたは複数のプロセッサは、UEに、1つまたは複数の第1のCSI−RSリソースの構成および1つまたは複数のSRSリソースの構成を送信する命令と、1つまたは複数のプリコーダによってプリコードされた1つまたは複数のSRSリソースを含むSRSリソースセットの識別子を含む第1の制御情報を生成する命令と、1つまたは複数の第1のCSI−RSリソースの識別子を含む第2の制御情報を生成する命令であって、1つまたは複数の第1のCSI−RSリソースが識別されたSRSリソースセットと関連付けられており、1つまたは複数の第1のCSI−RSリソースが測定を行うために使用される下り参照信号（RS）を運び、1つまたは複数のプリコーダが下りRSの測定値に従って決定される、命令と、第1の制御情報および第2の制御情報を送信する命令と、下りRSを送信する命令と、を実行する。
【００２５】
任意選択で、前述の実施形態のいずれかにおいて、第2の制御情報が第2のCSI−RSリソースを含む複数の第1のCSI−RSリソースを識別する場合、1つまたは複数のプロセッサが、第2のCSI−RSリソースの識別子を含む第3の制御情報を生成する命令と、第3の制御情報を送信する命令であって、第3の制御情報がMAC CEまたはDCIメッセージで送信される、命令と、第2のCSI−RSリソースでCSI−RSを送信する命令と、をさらに実行する、実施形態。
【００２６】
任意選択で、前述の実施形態のいずれかにおいて、1つまたは複数のプロセッサが、1つまたは複数の報告設定を送信する命令であって、1つまたは複数の報告設定のうちの少なくとも1つの第1の報告設定がCSI報告構成を含み、第1の制御情報が1つまたは複数の報告設定のうちの少なくとも1つの第2の報告設定に含まれる、命令と、CSI要求フィールドを送信する命令であって、CSI要求フィールドの少なくとも1つの状態が、第1の制御情報を含む少なくとも1つの第2の報告設定の識別子を含み、CSI要求フィールドがDCIメッセージで送信される、命令と、をさらに実行する、実施形態。
【００２７】
任意選択で、前述の実施形態のいずれかにおいて、第1の制御情報がSRS要求フィールドに含まれ、SRS要求フィールドの少なくとも1つの状態がSRSリソースセットの識別子を含み、第2の制御情報が第2のCSI−RSリソースを含む複数の第1のCSI−RSリソースを識別し、SRS要求フィールドの少なくとも1つの状態が第1の制御情報を含む場合、第3の制御情報がSRS要求フィールドに含まれ、SRS要求フィールドの少なくとも1つの状態が第2のCSI−RSリソースの識別子も含む、実施形態。
【００２８】
一例示的実施形態によれば、UEが提供される。本UEは、命令を含む非一時的メモリストレージと、メモリストレージと通信する1つまたは複数のプロセッサとを含む。1つまたは複数のプロセッサは、1つまたは複数の第1のCSI−RSリソースの構成および1つまたは複数のSRSリソースの構成を受信する命令と、1つまたは複数のSRSリソースを含むSRSリソースセットの識別子を含む第1の制御情報を受信する命令と、1つまたは複数の第1のCSI−RSリソースの識別子を含む第2の制御情報を受信する命令であって、1つまたは複数の第1のCSI−RSリソースが識別されたSRSリソースセットと関連付けられている、命令と、1つまたは複数のCSI−RSリソースのうちの1つで受信される下りRSの測定値に従って1つまたは複数のSRSリソースでSRSを伝送するための1つまたは複数のプリコーダを決定する命令と、1つまたは複数のSRSリソースで1つまたは複数のプリコーダを使用してSRSを送信する命令と、を実行する。
【００２９】
任意選択で、前述の実施形態のいずれかにおいて、第2の制御情報が第2のCSI−RSリソースを含む複数のCSI−RSリソースを識別する場合、1つまたは複数のプロセッサが、第2のCSI−RSリソースの識別子を含む第3の制御情報を受信する命令であって、第3の制御情報がMAC CEまたはDCIメッセージで送信される、命令と、第2のCSI−RSリソースでCSI−RSを受信する命令と、第2のCSI−RSリソースにおけるCSI−RSを測定することによって1つまたは複数のSRSリソースでSRSを伝送するために使用されるプリコーダを決定する命令と、をさらに実行する、実施形態。
【００３０】
任意選択で、前述の実施形態のいずれかにおいて、1つまたは複数のプロセッサが、1つまたは複数の報告設定を受信する命令であって、1つまたは複数の報告設定のうちの少なくとも1つの第1の報告設定がCSI報告構成を含み、第1の制御情報が1つまたは複数の報告設定のうちの少なくとも1つの第2の報告設定に含まれる、命令と、CSI要求フィールドを受信する命令であって、CSI要求フィールドの少なくとも1つの状態が、第1の制御情報を含む少なくとも1つの第2の報告設定の識別子を含み、CSI要求フィールドがDCIメッセージで送信される、命令と、をさらに実行する、実施形態。
【００３１】
任意選択で、前述の実施形態のいずれかにおいて、第1の制御情報がSRS要求フィールドに含まれ、SRS要求フィールドの少なくとも1つの状態がSRSリソースセットの識別子を含み、第2の制御情報が第2のCSI−RSリソースを含む複数の第1のCSI−RSリソースを識別し、SRS要求フィールドの少なくとも1つの状態が第1の制御情報を含む場合、第3の制御情報がSRS要求フィールドに含まれ、SRS要求フィールドの少なくとも1つの状態が第2のCSI−RSリソースの識別子も含む、実施形態。
【００３２】
任意選択で、前述の実施形態のいずれかにおいて、CSI−RSが、SRS要求フィールドを受信するために使用されるネットワークリソースの1つで、またはSRS要求フィールドを受信するために使用されるネットワークリソースの後の第1の数のネットワークリソースで受信され、本方法が、UEが、CSI−RSを受信するために使用されるネットワークリソースの後の第2の数のネットワークリソースで少なくとも1つのSRSリソースを送信するステップであって、ネットワークリソースが、スロット、サブフレーム、またはOFDMシンボルのうちの1つである、ステップ、を含む、実施形態。
【００３３】
前述の実施形態の実施により、デバイスは、非コードブックベースのビームフォーミングされた伝送を円滑化する制御シグナリングを送信または受信することが可能になる。
【００３４】
本開示、および本開示の利点のより十分な理解のために、次に、添付の図面と併せて以下の説明を参照する。
【図面の簡単な説明】
【００３５】
【図１】例示的な無線通信システムを示す図である。
【図２Ａ】通信システムにおける非コードブックベースの伝送を示すハイレベル図である。
【図２Ｂ】通信システムにおける非コードブックベースの伝送を示すハイレベル図である。
【図２Ｃ】通信システムにおける非コードブックベースの伝送を示すハイレベル図である。
【図３】本明細書に記載される例示的実施形態によるUEからの上り伝送に関与するアクセスノードで行われる例示的動作を示す流れ図である。
【図４】本明細書に記載される例示的実施形態によるアクセスノードへの上り伝送に関与するUEで行われる例示的動作を示す流れ図である。
【図５】本明細書に記載される例示的実施形態によるUEに制御情報をシグナリングするアクセスノードで行われる例示的動作を示す流れ図である。
【図６】本明細書に記載される例示的実施形態による報告設定を使用してSRSリソースについての制御情報を送信するアクセスノードで行われる例示的動作を示す流れ図である。
【図７】本明細書に記載される例示的実施形態によるSRS伝送のためのトリガを再利用することによってCSI−RS伝送をトリガするために制御情報を送信するアクセスノードで行われる例示的動作を示す流れ図である。
【図８】本明細書に記載される例示的実施形態による、同時に符号化されたSRS要求フィールドおよびCSI−RS測定要求フィールドを含む制御情報を送信するアクセスノードで行われる例示的動作を示す流れ図である。
【図９】本明細書に記載される例示的実施形態による例示的通信システムを示す図である。
【図１０Ａ】本開示による方法および教示を実施し得る例示的デバイスを示す図である。
【図１０Ｂ】本開示による方法および教示を実施し得る例示的デバイスを示す図である。
【図１１】本明細書で開示されるデバイスおよび方法を実施するために使用され得るコンピューティングシステムのブロック図である。
【発明を実施するための形態】
【００３６】
開示の実施形態の製作および使用について以下で詳細に論じる。しかし、本開示は、多種多様な個別のコンテキストにおいて具体化することができる多くの適用可能な発明概念を提供するものであることを理解されたい。論じられる特定の実施形態は、単に、実施形態を製作および使用する特定のやり方を例示するにすぎず、本開示の範囲を限定するものではない。
【００３７】
図1は、例示的な無線通信システム100を示す。通信システム100は、UE110、UE112、UE114、およびUE116を含む複数のUEにサービスするアクセスノード105を含む。第1の通信モードでは、アクセスノード105によってサービスされるUEから発する、またはアクセスノード105によってサービスされるUEに向けられた伝送がアクセスノード105を通過する。第2の通信モードでは、UEは、仲介者として働くアクセスノード105なしで互いに直接通信することができる。アクセスノードは一般には、ノードB、進化型ノードB（eNB）、次世代（NG）ノードB（gNB）、マスタeNB（MeNB）、セカンダリeNB（SeNB）、マスタgNB（MgNB）、セカンダリgNB（SgNB）、ネットワークコントローラ、制御ノード、基地局、アクセスポイント、送信点（TP）、送受信点（TRP）、セル、キャリア、マクロセル、フェムトセル、ピコセルなどと呼ばれることもあり、UEは一般には、移動局、モバイル、端末、ユーザ、加入者、局などと呼ばれることもある。アクセスノードは、1つまたは複数の無線通信プロトコル、例えば、ロングタームエボリューション（LTE）、ロングタームエボリューションアドバンスト（LTE−A）、5G、5G LTE、5G NR、高速パケットアクセス（HSPA）、Wi−Fi 802．11a／b／g／n／acなどによる無線アクセスを提供し得る。通信システムは多数のUEと通信できる複数のeNBを用い得ることが理解されるが、簡略にするために1台のみのeNBと多数のUEとが示されている。
【００３８】
図2A〜図2Cは、通信システム200における非コードブックベースの伝送のハイレベル図を示す。図2Aに示されるように、通信システム200は（カバレッジエリア206を有する）アクセスノード205を含み、アクセスノード205はUE210にチャネル測定などの測定を行わせるために下り参照信号（RS）を送信する。UE210は測定に従って通信ビームの候補プリコーダを導出する。UE210はまた、チャネルの相反性を利用して、チャネル測定値を決定するかまたは候補プリコーダを導出してもよい。図2Bに示されるように、UE210は、候補プリコーダを使用してプリコードされたサウンディング参照シンボル（SRS）を送信し、結果として複数のプリコードされたSRSが得られる（プリコーダ0からプリコーダ3で表されているが、異なる数のSRSプリコーダも可能である）。プリコードされたSRSは、例えば、アクセスノード205によって指定され得る構成されたSRSリソースで伝送される。アクセスノード205は、構成されたSRSリソースの測定を行い、1つまたは複数のプリコーダを選択する。一例として、選択された1つまたは複数のプリコーダは、信号強度基準や信号品質基準（信号プラス干渉対雑音比（signal plus interference to noise ratio（SINR））、信号対雑音比（SNR）、参照信号受信電力（RSRP）、参照信号受信品質（RSRQ）、受信信号電力などを含む）などの基準を満たす。図2Cに示されるように、アクセスノード205はUE210に1つまたは複数の選択されたプリコーダに関する情報を送信する。1つまたは複数の選択されたプリコーダに関する情報は、例えば、上りリンク（UL）グラントで送信され得る。UE210は、（アクセスノードによって知らされた）1つまたは複数の選択されたプリコーダを使用して、物理上り共有チャネル（PUSCH）伝送上の伝送をビームフォーミングする。PUSCH伝送のためのリソースは、例えば、上りリンクグラントで指定されていてもよい。
【００３９】
非コードブックベースの上り多入力多出力（MIMO）環境におけるPUSCH伝送のためのプリコーダの決定に関して、UEによって行われる測定および候補プリコーダの決定を支援する目的で、下り測定RS伝送に関連した情報がUEに提供されるべきことが合意されている。下り測定RSの一例がチャネル状態情報RS（CSI−RS）であり得るが、他のRSも使用され得る。しかしながら、非コードブックベースの上り伝送を支援するためにUEにCSI−RSに関する情報を提供する必要は依然としてある。
【００４０】
一例示的実施形態によれば、UEがチャネル状態情報参照信号（CSI−RS）を受信し、下りチャネル推定を導出することができるようにするためにUEに1つまたは複数のCSI−RSリソースの構成が提供される。CSI−RSリソースの構成は、識別子、時間領域挙動、ポートの数、周波数領域密度など、またはそれらの情報を含む。一例として、1つまたは複数のCSI−RSリソースの識別子は、UEが複数の時間周波数リソースの中から1つまたは複数のCSI−RSリソースを位置特定することを可能にする情報であってもよく、（1つまたは複数の）タイムスロット番号、（1つまたは複数の）周波数帯域またはトーン番号、（1つまたは複数の）リソース要素番号、（1つまたは複数の）搬送波成分番号などを含む。1つまたは複数のサウンディング参照シンボル（SRS）リソースの構成は、UEがSRSリソース内のSRSを送信できるようにするためにUEに提供される。SRSリソースの構成は、識別子、時間領域挙動、ポートの数、OFDMシンボルの数、SRS帯域幅および周波数ホッピング帯域幅など、またはそれらの情報を含む。一例として、1つまたは複数のSRSリソースの識別子は、UEが複数の時間周波数リソースの中から1つまたは複数のSRSリソースを位置特定することを可能にする情報であってもよく、（1つまたは複数の）タイムスロット番号、（1つまたは複数の）周波数帯域またはトーン番号、（1つまたは複数の）リソース要素番号、（1つまたは複数の）搬送波成分番号などを含む。UEが1つまたは複数のSRSリソースで送信するために使用される候補プリコーダを決定できるようにするために、1つまたは複数の下り測定RSおよび1つまたは複数のSRSリソースに関連した制御情報もUEに提供される。制御情報はUEに、SRSを送信するための候補プリコーダを決定するのにどの下り測定RS（例えばCSI−RS）を測定すべきかを知らせる。制御情報はUEに、プリコードされたSRS（例えば、候補プリコーダによってプリコードされたSRSである）を送信するのに使用すべきSRSリソースを知らせる。1つまたは複数のSRSリソースの各々が1つのアンテナポート、例えば、仮想アンテナポートや論理アンテナポートを有する。UEは、同時に伝送されることができるSRSリソースの最大数の能力を報告し得る。アクセスノードは、UEの能力の報告に従ってSRSリソースの数を構成し得る。構成されたSRSリソースの数は、例えば、PUSCHのトランスミッション層の最大数であり得る。
【００４１】
図3は、UEからの上り伝送に関与するアクセスノードで行われる例示的動作300の流れ図を示す。動作300は、アクセスノードがUEからの上り伝送に関与する際にアクセスノードで行われる動作を示し得る。
【００４２】
動作300ではまず、アクセスノードが1つまたは複数の下り測定RS（CSI−RSなど）および1つまたは複数のSRSリソースを構成し、構成を送信する（ブロック305）。アクセスノードがUEに1つまたは複数の下り測定RS（CSI−RSなど）および1つまたは複数のSRSリソースに関連した制御情報を送信する（ブロック307）。1つまたは複数の下り測定RSに関連した制御情報と1つまたは複数のSRSリソースに関連した制御情報とは、一緒に、または別々に送信され得る。制御情報は、媒体アクセス制御（MAC）制御要素（CE）メッセージもしくは無線リソース制御（RRC）メッセージで、またはMAC CEメッセージとRRCメッセージの両方の組み合わせで送信され得る。制御情報は、下り制御情報（DCI）メッセージでさらに送信され得る。制御情報は、どのようにして下り測定RSを受信しSRSを送信するかをUEに知らせるために、1つまたは複数の下り測定RS（例えば、1つまたは複数の下り測定RSリソースおよび下り測定RSに関する情報を含み得る）と、1つまたは複数のSRSリソースの構成に関する情報とを運ぶことができ、構成は少なくとも、1つまたは複数の下り測定RSリソースおよび1つまたは複数のSRSリソースの周波数領域および時間領域の位置を含む。以下で制御情報および制御情報がUEにどのようにして送信されるかの詳細な考察を行う。
【００４３】
アクセスノードが下り測定RSを送信する（ブロック309）。下り測定RSは例えばCSI−RSであり得るが、他の信号も使用され得る。下り測定RSは、CSI−RSリソースなどの下り測定RSリソースで送信され得る。アクセスノードがUEから受信されたSRSを測定する（ブロック311）。アクセスノードは、UEによって送信されたSRSに基づき、SINR、SNR、RSRP、RSRQ、受信信号電力などといったチャネル測定を行う。SRSは、1つまたは複数の候補プリコーダでプリコードされてもよく、アクセスノードは、1つまたは複数のSRSリソースで伝送される1つまたは複数のプリコードされたSRSのチャネル測定を行う。複数のSRSリソースが構成されると、アクセスノードがチャネル測定値に基づいて1つまたは複数のプリコーダを選択する（ブロック313）。一例として、アクセスノードは、最高のチャネル測定値と関連付けられたプリコーダを選択する。同じ（かもしくは実質的に同じ）である複数のチャネル測定値がある場合、またはより高い空間多重化PUSCH伝送がスケジュールされる場合、アクセスノードは複数のプリコーダを選択し、複数のプリコーダは各々潜在的に、そのより高い空間多重化PUSCH伝送の1つの層に使用される。アクセスノードが、SRSリソース指示（SRI）フィールドによって複数のSRSリソースの中からの1つまたは複数の選択されたプリコーダに関する情報を送信する（ブロック315）。一例として、アクセスノードは、1つまたは複数の選択されたプリコーダの各々の識別子または1つまたは複数の選択されたプリコーダに関連したSRSリソースの識別子を送信する。一例として、1つまたは複数の選択されたプリコーダの識別子は、より高いチャネル測定値と関連付けられた（1つまたは複数の）ビームインデックスを含む、UEがアクセスノードによって選択された1つまたは複数の選択されたプリコーダを判断することを可能にする情報であり得る。アクセスノードがUEからPUSCH伝送を受信する（ブロック317）。PUSCH伝送は1つまたは複数の選択されたプリコーダを使用してプリコードされ得る。
【００４４】
図4は、アクセスノードへの上り伝送に関与するUEで行われる例示的動作400の流れ図を示す。動作400は、UEがアクセスノードへの上り伝送に関与する際にUEで行われる動作を示し得る。
【００４５】
動作400ではまず、UEが1つまたは複数の下り測定RS（CSI−RSなど）および1つまたは複数のSRSリソースに関する構成情報を受信する（ブロック405）。UEがアクセスノードから1つまたは複数の下り測定RS（CSI−RSなど）および1つまたは複数のSRSリソースに関連した制御情報を受信する（ブロック407）。1つまたは複数の下り測定RSに関連した制御情報（例えば、1つまたは複数の下り測定RSリソースおよび下り測定RSに関する情報を含み得る）と、1つまたは複数のSRSリソースに関連した制御情報とは、一緒にまたは別々に送信され得る。制御情報は、MAC CEメッセージもしくはRRCメッセージで、またはMAC CEメッセージとRRCメッセージの両方の組み合わせで送信され得る。制御情報は、DCIメッセージでさらに送信され得る。制御情報は、どのようにして下り測定RSを受信しSRSを送信するかをUEに知らせるために1つまたは複数の下り測定RSリソースおよび1つまたは複数のSRSリソースの構成に関する情報を運ぶことができ、構成は少なくとも、1つまたは複数の下り測定RSリソースと1つまたは複数のSRSリソースの周波数領域および時間領域の位置を含む。以下で制御情報および制御情報がUEによってどのようにして受信されるかの詳細な考察を行う。
【００４６】
UEが下り測定RSを受信する（ブロック409）。下り測定RSは、制御情報によって指定された下り測定RSリソース（CSI−RSリソースなど）で受信される。UEは、下り測定RSに基づいてチャネル測定を行う。UEがチャネル測定値に基づいて1つまたは複数の候補プリコーダを決定する（ブロック411）。一例として、UEは、複数の受信ビームを使用して下り測定RSを受信し、結果として、複数のチャネル測定値を得る。UEは、最高のチャネル測定値と関連付けられた1つまたは複数の受信ビームの1つまたは複数のプリコーダを候補プリコーダとして選択する。一例として、最高のチャネル測定値を有する受信ビームの指定された閾値内にある関連付けられたチャネル測定値を有する受信ビームが候補プリコーダとして選択される。別の例として、UEは、下り測定RSに基づいてチャネル情報を導出し、導出されたチャネルの固有ベクトルを導出するために導出されたチャネル情報に対して特異値分解（SVD）を行い、1つまたは複数の候補プリコーダが固有ベクトルに基づいて導出され得る。UEが候補プリコーダでSRSをプリコードし、プリコードされたSRSを送信する（ブロック413）。プリコードされたSRSは制御情報で指定されたSRSリソースで伝送される。UEが1つまたは複数の選択されたプリコーダに関する情報を受信する（ブロック415）。一例として、1つまたは複数の選択されたプリコーダに関する情報は上りリンクグラントで受信されてもよく、上りリンクグラントはPUSCH伝送のためのリソースも割り振る。UEがPUSCH伝送を送信する（ブロック417）。PUSCH伝送は1つまたは複数の選択されたプリコーダを使用してプリコードされ得る。
【００４７】
一例示的実施形態によれば、下り測定RS（CSI−RSなど）および1つまたは複数のSRSリソースを含むSRSリソースセットについての制御情報が生成されてUEに送信され、UEは、下り測定RSを測定して、1つまたは複数のSRSリソース上でSRSを送信するために使用される候補プリコーダを決定する。SRSリソースセットは、例えば、上位層パラメータによって（例えば、RRCパラメータSRS−ResourceSetによって）構成される。SRSリソースセットについて、UEは、上位層パラメータによって（例えば、RRCパラメータSRS−Resourceによって）K≧1個のRSリソースで構成され得る。SRSリソースセットの適用性は、上位層パラメータによって（例えば、RRCパラメータSRS−SetUseによって）構成される。上位層パラメータSRS−SetUseが‘非コードブック’に設定されている状況では、例えば、SRSリソースセットにおいて構成されたSRSリソースの各々が1つのSRSアンテナポートを有する。
【００４８】
一例示的実施形態によれば、制御情報は、必要に応じて、複数の制御情報、すなわち、第1の制御情報、第2の制御情報、および第3の制御情報を含む。一実施形態では、第2の制御情報は1つまたは複数のCSI−RSリソースを識別し、1つまたは複数のCSI−RSリソースはSRSリソースセットと関連付けられており、これは、SRSリソースセット内のSRSリソースにおけるSRS伝送に使用されるプリコーダが1つまたは複数のCSI−RSリソースのうちの少なくとも1つに従って導出されることを意味する。さらに、第2の制御情報によって複数のCSI−RSリソースが識別される場合、第1の制御情報は、UEがSRSを送信するために使用する1つまたは複数のSRSリソースを含むSRSリソースセットを識別するために使用されてもよく、第3の制御情報は、UEが候補プリコーダを決定するために測定する複数のCSI−RSリソースの中から下り測定RS（CSI−RSなど）リソースを識別するために使用され得る。一例として、SRSリソースセットの識別子は、UEが、複数のSRSリソースセットのうちのどのSRSリソースセットがアクセスノードによって運ばれているかを判断することを可能にする情報であってもよく、SRSリソースセット番号、（例えば、SRSリソースセットのメンバである）SRSリソースの識別子、（SRSリソースセットまたはSRSリソースセットのメンバであるSRSリソースとの関連付けを有する）CSI−RSリソースの識別子などを含む。UEは、第2の制御情報および第1の制御情報（および、第2の制御情報が複数のCSI−RSリソースを識別する場合には第3の制御情報）を受信し、第1の制御情報によって識別されたSRSリソースで候補プリコーダを使用してプリコードされたSRSを伝送するために、下り測定RSリソースの測定値を使用して候補プリコーダを決定する。一実施形態では、第2の制御情報は、MAC CEメッセージまたはRRCメッセージで送信され、第3および第1の制御情報はDCIメッセージで送信される。
【００４９】
図5は、UEに制御情報をシグナリングするアクセスノードで行われる例示的動作500の流れ図を示す。動作500は、アクセスノードが制御情報を生成しUEに送信する際にアクセスノードで行われる動作を示し得る。制御情報は、SRS伝送の候補プリコーダを決定するために下り測定RSリソースを指定する。
【００５０】
動作500ではまず、アクセスノードが制御情報を生成する（ブロック505）。制御情報は、下り測定RSと、1つまたは複数のSRSリソースを含むSRSリソースセットとを識別し、例えば、複数の制御情報として別々に生成され得る。言い換えると、制御情報は、1つまたは複数のCSI−RSリソースを識別する第2の制御情報および1つまたは複数のSRSリソースを含むSRSリソースセットを識別する第1の制御情報として生成され得る。さらに、第2の制御情報によって複数のCSI−RSリソースが運ばれる場合、第3の制御情報が、複数のCSI−RSリソースの中から下り測定RSリソースを識別するために使用し得る。アクセスノードが制御情報を送信する（ブロック507）。制御情報は、別々のMAC CEメッセージ、RRCメッセージ、もしくはDCIメッセージで、またはMAC CEメッセージ、RRCメッセージ、もしくはDCIメッセージで組み合わされて送信され得る。制御情報は、MAC CEメッセージ、RRCメッセージ、もしくはDCIメッセージの組み合わせで送信され得る。例えば、1つまたは複数のCSI−RSとSRSリソースセットに含まれるSRSリソースの構成は、RRCメッセージで送信され得る。MAC CEメッセージは、アクティブ化されるべきRRCメッセージによって運ばれた構成のうちの一部を選択するか、または構成の一部を再構成するか、またはRRCメッセージによって構成されていないいくつかの新しいパラメータを構成するために使用され得る。
【００５１】
一実施形態では、制御情報は、下り測定RSリソースとSRSリソースを含むSRSリソースセットとの間の関連付けを含む。一例として、第2の制御情報は、下り測定RSリソースとSRSリソースを含むSRSリソースセットとの間の関連付け、またはその情報を含む。第2の制御情報は、MAC CEメッセージまたはRRCメッセージで送信され得る。
【００５２】
一実施形態では、アクセスノードがUEに少なくとも1つの報告設定を送信する状況において、報告設定のうちの少なくとも1つが、SRSリソースを含むSRSリソースセットの識別子を含む。
【００５３】
一実施形態では、アクセスノードが、DCIメッセージで送信されるCSI報告トリガ要求フィールドで第1の制御情報を送信する状況において、CSI報告トリガ要求フィールドの少なくとも1つの状態が少なくとも1つの報告設定の識別子を含み、報告設定のうちの少なくとも1つがSRSリソースを含むSRSリソースセットの識別子を含む。一般に、CSI報告トリガ要求フィールドを含むDCIメッセージは、CSI報告トリガ要求フィールドがある値に設定されているときに、DCIメッセージの受信側（UEなど）をトリガしてCSI報告を送信させることになる。その値は、技術規格で、または通信システムのオペレータによって指定され得る。その値はまた、通信システムのデバイスによって協調的に合意されていてもよい。一例として、報告設定の識別子は、UEが、少なくとも1つの報告設定のうちのどの報告設定が運ばれているかを判断することを可能にする情報であってもよく、複数の報告設定のインデックス、報告設定フィールドコードなどを含む。
【００５４】
一実施形態では、CSI報告トリガ要求フィールドに第3の制御情報も含まれる状況において、CSI報告トリガ要求フィールドの少なくとも1つの状態が少なくとも1つの報告設定の識別子およびCSI−RSリソースの識別子を含み、報告設定がCSI−RSリソースと関連付けられている。
【００５５】
一例示的実施形態によれば、SRSリソースセットは報告設定として構成される。UEは、1つまたは複数のSRSリソースセットで構成され得る（例えば、パラメータSRS−ResourceSetConfigなどの上位層パラメータによって構成可能）。SRSリソースセットごとに、UEは、1つまたは複数のSRSリソースで構成されてもよく、1つまたは複数のSRSリソースは、RRCシグナリングによって構成されるSRSリソース構成、例えばSRS−ResourceConFigと関連付けられている。SRSパラメータの例には、SRSポートの数、SRSリソース構成の時間領域挙動、スロット内のSRSリソースの直交周波数分割多重（OFDM）シンボル位置、周波数ホッピング帯域幅、周波数領域位置、巡回シフトなどが含まれ得る。SRSリソースは、アクセスノードが上りチャネル情報を導出するために使用される。
【００５６】
（UEによって報告される）通信パラメータ、例えば、チャネル品質情報（CQI）、プリコーディング行列インジケータ（PMI）、CSI−RSリソースインデックス（CRI）、階数インジケータ（RI）などを導出するために、UEは、RRCメッセージによって1つまたは複数の報告設定（例えば、上位層パラメータReportConfig）をシグナリングされ得る。各報告設定ReportConfigはCSI報告構成を含み、CSI報告構成は、チャネル測定情報を報告するための1つまたは複数のパラメータ、例えば、CSIタイプ（タイプIまたはタイプII）、コードブックサブセット制限を含むコードブック構成、報告の時間領域挙動、CQIおよびPMIの周波数粒度、測定制限構成、（1つまたは複数の）報告されたレイヤ1RSRPパラメータ、CRI、同期信号ブロック（SSB）リソースインジケータ（SSBRI）などを含む。各ReportConfigは、ReportConfigを識別する識別子（例えばReportConfigID）を含む。報告設定によって構成される報告が非周期的である場合、非周期的報告に使用されるネットワークリソース（スロット、OFDMシンボル、サブフレームなど）、またはその識別子は、CSI要求フィールドなどのDCIメッセージによって識別されてもよく、CSI要求フィールドは、下りリンクグラントのためのDCIメッセージまたは上りリンクグラントのためのDCIメッセージに含まれ得る。ネットワークリソースは、タイムスロット番号、周波数帯域またはトーン番号、リソース要素番号、搬送波成分番号などといった情報で識別され得る。CSI要求フィールドは、UE報告のためにRRCパラメータによって構成された構成報告設定のうちの少なくとも1つに関する情報も運ぶ。UEがCSI要求フィールドを復号すると、UEは、CSI要求フィールドによって識別される、報告設定に関連した通信パラメータを報告し得る。非周期的報告に使用されるネットワークリソースは、CSI要求フィールドを送信するために使用されるネットワークリソースから導出され得る。例えば、非周期的報告がCSI要求フィールドと同じネットワークリソースで伝送されることができ、または非周期的報告が、CSI要求フィールドの後のX個のネットワークリソースの後のネットワークリソースで伝送されることができ、Xは指定された非ゼロの整数値である。
【００５７】
一例示的実施形態によれば、CSI報告トリガ要求フィールドとCSI測定要求フィールドとは、UEが候補プリコーダを決定するために測定するCSI−RSリソースを同時に識別するために使用される。アクセスノードが、CSI報告トリガ要求フィールドのCSI報告なしを表す状態をシグナリングし、CSI−RS伝送をトリガするCSI測定要求フィールドの1つの状態をシグナリングする場合、CSI−RSは候補プリコーダを決定するために使用される。表1は、例示的なCSI報告トリガ要求フィールド値をその説明と共に示す。一例として、‘00’と等しいCSI報告トリガ要求フィールド値がシグナリングされる場合、1つのCSI−RSリソースもシグナリングされる。CSI−RSリソースは、候補プリコーダを決定するためのUEによるチャネル測定の下り測定RSを運ぶために使用され得る。
【００５８】
【表１】
2020537426.tif 000003
【００５９】
一例示的実施形態によれば、SRSリソースセットが報告設定として構成される場合、CSI要求フィールドは、SRSリソースセット内のSRSリソースでのSRS伝送に関する情報を運ぶために使用され得る。SRSリソースセットが非周期的である場合、SRSリソースセットに使用されるネットワークリソースは、CSI要求フィールドによって識別され得る。CSI要求フィールドは、RRCパラメータによって構成さえたSRSリソースセットのうちの少なくとも1つに関する情報も運ぶ。UEがCSI要求フィールドを復号すると、UEはCSI要求フィールドによって識別されたSRSリソースセットを送信し得る。SRSリソースセットに使用されるネットワークリソースは、CSI要求フィールドを送信するために使用されるネットワークリソースに従って導出され得る。例えば、SRSはCSI要求フィールドと同じネットワークリソースで伝送されることができ、またはSRSは、CSI要求フィールドの後のX個のネットワークリソースの後のネットワークリソースで伝送されることができ、Xは指定された非ゼロの整数値である。
【００６０】
アクセスノードに報告するための通信パラメータを導出するために、UEは、RRCメッセージによって識別されるCSI−RSリソースでのCSI−RS受信の測定に基づいてチャネル情報を導出し得る。CSI−RSリソース構成は、ポート番号、周波数時間位置、符号分割多重化（CDM）、応答タイプなどを含む、複数のパラメータを含む。RRCメッセージによって構成されたCSI−RSリソースが非周期的である場合、非周期的CSI−RS伝送に使用されるネットワークリソースがCSI要求フィールドなどのDCIメッセージによって識別され得る。非周期的CSI−RSリソースに使用されるネットワークリソースは、CSI要求フィールドを送信するために使用されるネットワークリソースに従って導出され得る。例えば、非周期的CSI−RSリソースで伝送されるCSI−RSはCSI要求フィールドと同じネットワークリソースで受信されることができ、または非周期的CSI−RSリソースは、CSI要求フィールドの後のX個のネットワークリソースの後のネットワークリソースで伝送されることができる。CSI要求フィールドは、RRCパラメータによって構成された複数のCSI−RSリソースのうちの少なくとも1つも識別する。UEがCSI要求フィールドを復号すると、UEは、CSI−RS要求フィールドによって識別されたCSI−RSリソースでCSI−RSを受信し得る。UEは、識別されたCSI−RSリソースを使用して、CSI−RSリソースと関連付けられた報告設定に関連した通信パラメータを報告し得る。CSI−RSリソースと報告設定との間の関連付けはRRCメッセージによって運ばれる。この場合、CSI−RSリソースおよび関連付けられた報告設定のトリガは、CSI要求フィールドによって同時に開始されることができる。
【００６１】
したがって、CSI要求フィールドは、（1つまたは複数の）CSI−RSリソースと（1つまたは複数の）SRSリソースの両方の伝送をトリガするために使用でき、（1つまたは複数の）CSI−RSリソースは（1つまたは複数の）SRSリソースと関連付けられており、これは、SRSリソースでSRSを伝送するのに使用されるプリコーダがCSI−RSリソースの測定値に基づいて導出されることを意味する。
【００６２】
報告設定とCSI−RSリソースとの関連付けは、RRCメッセージによってシグナリングされ得る。SRSリソースセットが報告設定として構成される場合には、CSI−RSリソースとSRSリソースセットとの間の関連付けもRRCメッセージによってシグナリングされ得る。CSI要求フィールドの少なくとも1つの状態が、CSI−RSリソースの識別子と報告設定の識別子の両方を含んでいてもよく、報告設定はSRSリソースセットの構成を含み得る。CSI要求フィールドがCSI要求フィールドの少なくとも1つの状態に設定されている場合、CSI−RSリソースとSRSリソースセットの両方がシグナリングされる。さらに、CSI−RSリソースがトリガされ、UEは、CSI要求フィールドを含むスロットと同じスロットや、CSI要求フィールドを含むスロットのNスロット後などの構成されたスロットでCSI−RSを受信でき、Nは指定された非ゼロの正の整数値である。SRSリソースセットもトリガされ、UEは、CSI要求フィールドを含むスロットと同じスロットや、CSI要求フィールドを含むスロットのMスロット後などの構成されたスロットにおけるCSI−RSの測定に基づくプリコーダでプリコードした後にSRSを送信でき、Mは、Nより大きい指定された非ゼロの正の整数値である。この状況では、CSI要求フィールドは、SRSリソースセットにおけるSRSリソースの存在および関連付けられたCSI−RSリソースの存在を伝えるために使用され得るか、またはCSI要求フィールドは、SRSリソースセット内のSRSリソース内でのSRS伝送および関連付けられたCSI−RSリソース内でのCSI−RS伝送をトリガするために使用され得る。
【００６３】
図6は、報告設定を使用してSRSリソースセットについての制御情報を送信するアクセスノードで行われる例示的動作600の流れ図を示す。動作600は、アクセスノードが報告設定を使用してSRSリソースセットについての制御情報を送信する際にアクセスノードで行われる動作を示し得る。
【００６４】
動作600ではまず、アクセスノードがSRSリソースセットを報告設定として構成する（ブロック605）。アクセスノードは、アクセスノードがCSI要求フィールドの1つの状態をシグナリングするときにSRS伝送をトリガするようにCSI要求フィールド（同時に符号化されたCSI報告トリガ要求とCSI測定要求）の状態も構成する（ブロック607）。アクセスノードがCSI要求フィールド（例えば制御情報）を送信する（ブロック609）。CSI要求フィールドおよび報告設定は、制御情報を受信するUEでSRSリソースを構成し、UEによるSRS伝送をトリガする。各報告設定は少なくとも1つのCSI−RSリソース設定にリンクされていることに留意されたい。また、報告設定、CSI−RSリソース設定、および2つの間のリンクはRRCメッセージによってシグナリングされることにも留意されたい。SRSリソース設定（少なくとも1つのSRSリソース識別子またはその構成パラメータを含む）がCSI報告設定として構成される場合、CSI−RSリソース設定は、CSIフレームワークにおいてSRSリソース設定と関連付けられ得る。そのような状況では、CSI要求がトリガされると、SRSリソースとCSI−RSリソースもトリガされる。
【００６５】
一実施形態では、第1の制御情報がSRS要求フィールドに含まれる場合、SRS要求フィールドの少なくとも1つの状態は、UEによってSRSを送信するために使用されるRRCメッセージによって構成された少なくとも1つのSRSリソースを含む少なくとも1つのSRSリソースセットの識別子を含む。
【００６６】
SRSリソースセットが本質的に非周期的である場合、SRSリソースセットに使用されるネットワークリソースは、SRS要求フィールドによってシグナリングされてもよく、SRS要求フィールドは、下りリンクグラントのDCIメッセージまたは上りリンクグラントのDCIメッセージに含まれ得る。UEがSRS要求フィールドを復号すると、UEはSRS要求フィールドによってシグナリングされたSRSリソースセットでSRSリソースを送信し得る。SRSリソースに使用されるネットワークリソースは、SRS要求フィールドを送信するために使用されるネットワークリソースに従って導出され得る。例えば、SRSはSRS要求フィールドと同じネットワークリソースで伝送されることができ、またはSRSは、SRS要求フィールドのXネットワークリソース後のネットワークリソースで伝送されることができ、Xは指定された非ゼロの整数値である。一実施形態では、第2の制御情報がSRSリソースセットの識別子およびCSI−RSリソースの識別子を含む場合、およびUEは、第2の制御情報に基づいて、SRSリソースセットがCSI−RSリソースと関連付けられているという情報を導出し得る。一実施形態では、SRSリソースセットが複数のCSI−RSリソースと関連付けられている場合、第3の制御情報は、SRSリソースセットと関連付けられた複数のCSI−RSリソースの中から1つのCSI−RSを選択するために使用される。第3の制御情報もSRS要求フィールドに含まれ得る。RRCメッセージによって構成されたCSI−RSリソースが非周期的である場合、非周期的CSI−RS伝送に使用されるネットワークリソースがSRS要求フィールドによってシグナリングされ得る。非周期的CSI−RSリソースに使用されるネットワークリソースは、SRS要求フィールドを送信するために使用されるネットワークリソースに従って導出され得る。例えば、非周期的CSI−RSリソースで伝送されるCSI−RSはSRS要求フィールドと同じネットワークリソースで受信されることができ、または非周期的CSI−RSリソースは、SRS要求フィールドのXネットワークリソース後のネットワークリソースで伝送されることができ、Xは指定された非ゼロの整数値である。SRS要求フィールドは、RRCパラメータによって構成された複数のCSI−RSリソースのうちの少なくとも1つもシグナリングする。UEがSRS要求フィールドを復号すると、UEは、SRS要求フィールドによってシグナリングされたCSI−RSリソースでCSI−RSを受信し得る。UEは、シグナリングされたCSI−RSリソースを使用して、CSI−RSリソースと関連付けられたSRS伝送に使用される候補プリコーダを導出し得る。この場合、CSI−RS伝送および関連付けられたSRS伝送のトリガは、SRS要求フィールドによって同時に開始されることができる。この状況では、SRS要求フィールドは、SRSリソースセット内のSRSリソースおよび関連付けられたCSI−RSリソースの存在を伝えるために使用され得るか、またはSRS要求フィールドは、SRSリソースセット内のSRSリソース内でのSRS伝送およびCSI−RSリソース内でのCSI−RS伝送をトリガするために使用され得る。
【００６７】
SRS要求フィールドの少なくとも1つの状態が、CSI−RSリソースの識別子とSRSリソースセットの識別子の両方を含んでいてもよい。SRS要求フィールドがSRS要求フィールドの少なくとも1つの状態に設定されている場合、CSI−RSリソースとSRSリソースセットの両方がシグナリングされる。さらに、CSI−RSリソースがトリガされ、UEは、SRS要求フィールドを含むスロットと同じスロットや、SRS要求フィールドを含むスロットのNスロット後などの構成されたスロットでCSI−RSを受信でき、Nは指定された非ゼロの正の整数値である。SRSリソースセットもトリガされ、UEは、スロットが含まれるSRS要求フィールドと同じスロットや、SRS要求フィールドを含むスロットのMスロット後などの構成されたスロットにおけるCSI−RSの測定に基づくプリコーダでプリコードした後にSRSを送信でき、Mは、Nより大きい指定された非ゼロの正の整数値である。
【００６８】
一例示的実施形態によれば、SRS要求フィールドはCSI−RS伝送をトリガするためにも使用される。CSI−RSリソースとSRSリソースセットとの間には関係が存在し得る。さらに、SRSとCSI−RSとの間の関連付けは、第2の制御情報を含むメッセージなどの、RRCシグナリングまたはMAC CEメッセージを使用して構成され得る。SRS要求フィールドはSRSリソースの伝送をトリガするために使用され、SRS要求フィールドの少なくとも1つの状態が少なくとも1つのSRSリソースセット識別子を含む。特定の状態がシグナリングされると、その特定の状態に関連したSRSリソースセットがトリガされ、すなわち、伝送される。複数のCSI−RSリソースがSRSリソースセットと関連付けられるように構成されている場合、SRS要求フィールドに含む第3の制御情報を含むメッセージが、複数のCSI−RSリソースのうちの1つを選択するために使用される。SRS要求フィールドの少なくとも1つの状態は選択された1つのCSI−RSリソースの識別子も含む。特定の状態がシグナリングされると、その特定の状態に関連したSRSリソースセットおよび関連付けられたCSI−RSリソースがトリガされ、すなわち、SRSがUEによって送信され、CSI−RSがアクセスノードによって送信される。
【００６９】
SRS要求フィールドの各状態は1つまたは複数のSRSリソースセット識別子を含んでいてもよく、各状態の1つまたは複数のSRSリソースセット内のSRSリソースは、第2の制御情報を含むメッセージによって構成されるCSI−RSリソースの識別子にリンクしている。アクセスノードがSRS要求を送信すると、関連付けられたCSI−RSも、アクセスノードによってSRS要求フィールドを用いて同じスロットで伝送され得る。CSI−RS伝送の後、SRSが伝送され得る。表2は、例示的なSRS要求フィールド値をその説明と共に示す。SRS要求フィールドの各状態はRRCシグナリングを使用して構成される。RRCシグナリングおよび第2の制御情報を含むメッセージは別々に、または一緒に行われ得る。
【００７０】
【表２】
2020537426.tif 000004
【００７１】
複数のCSI−RSリソースが、第2の制御情報を含むメッセージによって構成されるSRSリソースセットと関連付けられている場合、第3の制御情報と第1の制御情報がSRS要求フィールド内で同時に符号化され得る。SRS要求フィールドの各状態は、RRCまたはMAC CEシグナリングを使用して、1つまたは複数のSRSリソース識別子と、関連付けられたCSI−RSリソース識別子とを含むように構成され得る。アクセスノードがSRS要求を送信すると、関連付けられたCSI−RSは同じスロットで伝送され得る。CSI−RS伝送の後、SRSは構成されたSRS挙動に従って伝送され得る。表3は、例示的なSRS要求フィールド値をその説明と共に示す。
【００７２】
【表３】
2020537426.tif 000005
【００７３】
図7は、SRS伝送のためのトリガを再利用することによってCSI−RS伝送をトリガするために制御情報を送信するアクセスノードで行われる例示的動作700の流れ図を示す。動作700は、アクセスノードがSRS伝送のためのトリガを再利用することによってCSI−RS伝送をトリガするために制御情報を送信する際にアクセスノードで行われる動作を示し得る。
【００７４】
動作700ではまず、アクセスノードがCSI−RSリソースとSRSリソースとの間の関連付けを構成する（ブロック705）。アクセスノードは、CSI−RS伝送をトリガするようにSRS要求フィールドも構成する（ブロック707）。SRS要求フィールドは通常、SRS伝送をトリガするために使用される。SRS要求フィールドを、CSI−RS伝送もトリガするように構成することにより、SRS伝送のトリガに使用されるフィールドとCSI−RS伝送のトリガに使用されるフィールドの同時符号化が得られる。アクセスノードが、SRSと関連付けられたCSI−RSの伝送をトリガするためにSRS要求フィールドを送信する（ブロック709）。
【００７５】
一実施形態では、CSI報告に関連した構成を含む報告設定と少なくとも1つのCSI−RSリソースとの間の関連付けがRRCシグナリングを使用して構成され、UEは、CSI報告設定と関連付けられた少なくとも1つのCSI−RSリソースの少なくとも1つの測定に基づいてCSI報告の内容を導出し得る。また、少なくとも1つのCSI−RSリソースとSRSリソースセットとの間の関連付けが第2の制御情報を使用して構成され、UEは、SRSリソースと関連付けられた少なくとも1つのCSI−RSリソースのうちの少なくとも1つの測定に基づいてSRSリソースで伝送されたSRSのプリコーダを導出し得る。報告設定の内容は、報告がトリガされない結果となる報告なしに設定され得る。例えば、CSI−RSリソースについて、CSI−RSリソースがSRSリソースと関連付けられる場合、CSI−RSリソースはいかなる報告設定とも関連付けられないか、またはCSI−RSリソースは報告設定と関連付けられ、報告設定の内容は報告なしに設定される。複数のCSI−RSリソースがSRSリソースセットと関連付けられる場合、複数のCSI−RSリソースのうちの1つがUEによってSRS伝送の候補プリコーダを導出するために使用され、1つのCSI−RSは、その内容において報告なしで構成された報告設定と関連付けられる。
【００７６】
表4は、例示的なCSI要求フィールド値をその説明と共に示す。SRSリソースセットは、第3のメッセージによって第1のCSI−RSリソースおよび第2のCSI−RSリソースと関連付けられている。例えば、CSI要求フィールドの値が‘00’の場合、第1のCSI−RSリソースはSRS伝送の候補プリコーダを導出するために使用され、CSI要求フィールドの値が‘01’の場合、第2のCSI−RSリソースはSRS伝送の候補プリコーダを導出するために使用される。SRSリソースセットは、CSI要求フィールドによって、またはSRS要求フィールドによってもトリガされ得る。SRSリソースセットは、第2の制御情報によって第1のCSI−RSリソースおよび第2のCSI−RSリソースと関連付けられている。
【００７７】
【表４】
2020537426.tif 000006
【００７８】
一例示的実施形態によれば、複数のSRSリソースセットがRRCメッセージを介してアクセスノードによって構成される場合、UEは、関連付けられたCSI−RS測定値に基づいてSRS伝送のプリコーダを計算し、複数のSRSリソースセットのうちの少なくとも1つが‘非コードブック’に設定されている場合、複数のSRSリソースセットのうちの少なくとも1つでSRSを送信することになる。
【００７９】
一例示的実施形態によれば、CSI−RSリソースが、複数のSRSリソースを含むSRSリソースセットと関連付けられており、複数のSRSリソースの各々がただ1つのアンテナポートを含む場合、UEは、関連付けられたCSI−RSに基づいてSRS伝送に使用されるプリコーダを導出し得る。または、SRSリソースセットと関連付けられたCSI−RSリソースがCSI取得に使用され得る場合、UEは、関連付けられたCSI−RSに基づいてSRS伝送に使用されるプリコーダを導出し得る。CSI取得に使用されるCSI−RSリソースは少なくとも1つの報告設定と関連付けられており、少なくとも1つの報告設定の内容は、CRI、RI、PMI、およびCQIを含むパラメータのうちの少なくとも1つを含む。
【００８０】
一例示的実施形態によれば、CSI−RSリソースが、複数のSRSリソースを含むSRSリソースセットと関連付けられており、複数のSRSリソースの各々がただ1つのアンテナポートを含む場合、UEは、関連付けられたCSI−RSに基づいてSRS伝送に使用されるプリコーダを導出し得る。または、SRSリソースセットと関連付けられたCSI−RSリソースがCSI取得に使用される場合、UEは、関連付けられたCSI−RSに基づいてSRS伝送に使用されるプリコーダを導出し得る。CSI取得に使用されるCSI−RSリソースは少なくとも1つのCSI報告設定と関連付けられており、少なくとも1つのCSI報告設定の内容は、CRI、RI、PMI、およびCQIを含むパラメータのうちの少なくとも1つを含む。
【００８１】
一例示的実施形態によれば、CSI−RSリソースがSRSリソースと関連付けられており、関連付けられたSRSリソースの各々に複数のSRSポートがある場合、UEは、関連付けられたCSI−RSを受信するために使用される空間領域伝送フィルタに基づいてSRS伝送に使用される空間領域伝送フィルタを導出し得る。または、SRSリソースセットと関連付けられたCSI−RSリソースがビーム管理に使用される場合、UEは、関連付けられたCSI−RSを受信するために使用される空間領域伝送フィルタに基づいてSRS伝送に使用される空間領域伝送フィルタを導出し得る。ビーム管理に使用されるCSI−RSリソースは少なくとも1つの報告設定と関連付けられており、少なくとも1つの報告設定の内容は、RSRPおよびCRIを含むパラメータのうちの少なくとも1つを含む。
【００８２】
一実施形態では、各CSI−RSリソースは、前記CSI−RSリソースの構成内のパラメータのうちの1つとしてCSI−RSタイプ構成を有し、CSI−RSタイプは少なくとも2つのオプションを含み、例えば、一方のCSI−RSタイプはCSI取得用であり、他方のCSI−RSタイプはビーム管理用である。UEは、第2の制御情報を受信する場合、第2の制御メッセージによって運ばれたCSI−RSリソース構成のCSI−RSタイプはCSI取得用に設定されていると仮定し得る。
【００８３】
図8は、同時に符号化されたSRS要求フィールドおよびCSI−RS測定要求フィールドを含む制御情報を送信するアクセスノードで行われる例示的動作800の流れ図を示す。動作800は、アクセスノードが同時に符号化されたSRS要求フィールドおよびCSI−RS測定要求フィールドを含む制御情報を送信する際にアクセスノードで行われる動作を示し得る。
【００８４】
動作800ではまず、アクセスノードが、SRS要求フィールドおよびCSI−RS測定要求フィールドを、CSI−RSリソースを同時に識別するように構成する（ブロック805）。アクセスノードが制御情報（SRS要求フィールドおよびCSI−RS測定要求フィールド）を送信する（ブロック807）。
【００８５】
図9に、例示的通信システム900を示す。一般に、システム900は、複数の無線ユーザまたは有線ユーザがデータおよび他のコンテンツを送受信することを可能にする。システム900は、符号分割多元接続（CDMA）、時分割多元接続（TDMA）、周波数分割多元接続（FDMA）、直交FDMA（OFDMA）、単一搬送波FDMA（SC−FDMA）、または非直交多元接続（NOMA）などの、1つまたは複数のチャネルアクセス法を実施し得る。
【００８６】
この例では、通信システム900は、電子機器（ED）910a〜910cと、無線アクセスネットワーク（RAN）920a〜920bと、コアネットワーク930、公衆交換電話網（PSTN）940と、インターネット950と、その他のネットワーク960とを含む。図9には特定の数のこれらの構成要素または要素が示されているが、システム900には任意の数のこれらの構成要素または要素が含まれていてもよい。
【００８７】
ED910a〜ED910cは、システム900において動作／または通信するように構成されている。例えば、ED910a〜ED910cは、無線通信チャネルまたは有線通信チャネルを介して送信または受信するように構成されている。各ED910a〜ED910cは、任意の適切なエンドユーザデバイスを表しており、ユーザ機器またはユーザデバイス（UE）、無線送受信ユニット（WTRU）、移動局、固定式もしくは移動式加入者ユニット、携帯電話機、パーソナルデジタルアシスタント（PDA）、スマートフォン、ラップトップ、コンピュータ、タッチパッド、無線センサ、または家電機器などの機器を含み得る（またはそれらを指示し得る）。
【００８８】
この場合のRAN920a〜RAN920bは、それぞれ、基地局970a〜基地局970bを含む。各基地局970a〜基地局970bは、コアネットワーク930、PSTN940、インターネット950、またはその他のネットワーク960へのアクセスを可能にするために、ED910a〜ED910cのうちの1台または複数と無線でインターフェースするように構成されている。例えば、基地局970a〜基地局970bは、無線基地局（BTS）、ノードB（NodeB）、進化型ノードB（eNodeB）、次世代（NG）ノードB（gNB）、ホームノードB、ホームeNodeB、サイトコントローラ、アクセスポイント（AP）、無線ルータなどの、いくつかの周知の機器のうちの1つまたは複数を含む（かまたはそれらであり得る）。ED910a〜ED910cは、インターネット950とインターフェースおよび通信するように構成されており、コアネットワーク930、PSTN940、またはその他のネットワーク960にアクセスし得る。
【００８９】
図9に示される実施形態では、基地局970aはRAN920aの一部を形成しており、RAN920aは、他の基地局、要素、および／または機器を含み得る。また基地局970bもRAN920bの一部を形成しており、RAN920bは、他の基地局、要素、および／または機器を含み得る。各基地局970a〜970bは、「セル」と呼ばれることもある特定の地理的領域またはエリア内で無線信号を送信または受信するように動作する。いくつかの実施形態では、セルごとに複数の送受信機を有する多入力多出力（MIMO）技術が用いられ得る。
【００９０】
基地局970a〜基地局970bは、無線通信リンクを使用して1つまたは複数のエアインターフェース990上でED910a〜ED910cのうちの1台または複数と通信する。エアインターフェース990は、任意の適切な無線アクセス技術を利用し得る。
【００９１】
システム900は、上述したような方式を含む、複数のチャネルアクセス機能を使用し得ることが企図されている。特定の実施形態では、基地局およびEDは、5G新無線（NR）、LTE、LTE−A、またはLTE−Bを実施する。当然ながら、他の多元接続方式および無線プロトコルが利用されてもよい。
【００９２】
RAN920a〜RAN920bは、ED910a〜ED910cに音声、データ、アプリケーション、インターネットプロトコル上の音声（VoIP）、または他のサービスを提供するためにコアネットワーク930と通信する。当然のことながら、RAN920a〜RAN920bまたはコアネットワーク930は、1つまたは複数の他のRAN（図示されない）と直接または間接的に通信し得る。コアネットワーク930は、（PSTN940、インターネット950、その他のネットワーク960などの）他のネットワークのためのゲートウェイアクセスとしての役割を果たし得る。加えて、ED910a〜ED910cの一部または全部が、異なる無線技術またはプロトコルを使用して異なる無線リンク上で異なる無線ネットワークと通信するための機能を含んでいてもよい。無線通信の代わりに（または無線通信に加えて）、各EDは有線通信チャネルを介してサービスプロバイダまたはスイッチ（図示されない）、およびインターネット950と通信してもよい。
【００９３】
図9は通信システムの一例を示しているが、図9には様々な変更が加えられ得る。例えば、通信システム900は、任意の台数のED、基地局、ネットワーク、または他の構成要素を任意の適切な構成に含むこともできる。
【００９４】
図10Aおよび図10Bは、本開示による方法および教示を実施し得る例示的デバイスを示す。特に、図10Aは例示的なED1010を示しており、図10Bは例示的な基地局1070を示している。これらの構成要素は、システム900で、または任意の他の適切なシステムで使用されることもできる。
【００９５】
図10Aに示されるように、ED1010は、少なくとも1つの処理装置1000を含む。処理装置1000は、ED1010の様々な処理動作を実施する。例えば、処理装置1000は、信号符号化、データ処理、電力制御、入力／出力処理、またはED1010がシステム900において動作することを可能にする任意の他の機能を果たすことができる。処理装置1000は、以上でより詳細に記載されている方法および教示もサポートする。各処理装置1000は、1つまたは複数の動作を行うように構成された任意の適切な処理または計算デバイスを含む。各処理装置1000は、例えば、マイクロプロセッサ、マイクロコントローラ、デジタル信号プロセッサ、フィールドプログラマブルゲートアレイ、または特定用途向け集積回路を含むことができる。
【００９６】
ED1010は、少なくとも1つの送受信機1002も含む。送受信機1002は、少なくとも1つのアンテナまたはNIC（ネットワークインターフェースコントローラ）1004による送信のためにデータまたは他のコンテンツを変調するように構成されている。送受信機1002は、少なくとも1つのアンテナ1004によって受信されたデータまたは他のコンテンツを復調するようにも構成されている。各送受信機1002は、無線送信もしくは有線送信のための信号を生成し、または無線もしくは有線で受信された信号を処理するための任意の適切な構造を含む。各アンテナ1004は、無線信号または有線信号を送信または受信するための任意の適切な構造を含む。ED1210で1つまたは複数の送受信機1002が使用されることもでき、ED1010で1つまたは複数のアンテナ1004が使用されることもできる。単一の機能ユニットとして図示されているが、送受信機1002は、少なくとも1つの送信機と少なくとも1つの別個の受信機とを使用して実施されることもできる。
【００９７】
ED1010は、1つまたは複数の入力／出力装置1006またはインターフェース（インターネット950への有線インターフェースなど）をさらに含む。入力／出力装置1006は、ユーザまたはネットワーク内の他の機器とのインタラクション（ネットワーク通信）を円滑化する。各入力／出力装置1006は、ネットワークインターフェース通信を含む、スピーカ、マイクロフォン、キーパッド、キーボード、ディスプレイ、またはタッチスクリーンなどの、ユーザに情報を提供し、またはユーザから情報を受け取るための任意の適切な構造を含む。
【００９８】
加えて、ED1010は、少なくとも1つのメモリ1008を含む。メモリ1008は、ED1010によって使用、生成、または収集される命令およびデータを格納する。例えば、メモリ1008は、（1つまたは複数の）処理装置1000によって実行されるソフトウェア命令またはファームウェア命令、および着信信号における干渉を低減または除去するために使用されるデータを格納することもできる。各メモリ1008は、任意の適切な揮発性または不揮発性の記憶装置および（1つまたは複数の）検索装置を含む。ランダムアクセスメモリ（RAM）、読取り専用メモリ（ROM）、ハードディスク、光ディスク、加入者識別モジュール（SIM）カード、メモリスティック、セキュアデジタル（SD）メモリカードなどといった、任意の適切な種類のメモリが使用され得る。
【００９９】
図10Bに示されるように、基地局1070は、少なくとも1つの処理装置1050と、送信機と受信機の機能を含む少なくとも1つの送受信機1052と、1つまたは複数のアンテナ1056と、少なくとも1つのメモリ1058と、1つまたは複数の入力／出力装置またはインターフェース1066とを含む。処理装置1050には、当業者には理解されるスケジューラが結合されている。スケジューラは、基地局1070内に含めることもでき、または基地局1070とは別個に動作させることもできる。処理装置1050は、信号符号化、データ処理、電力制御、入力／出力処理、または任意の他の機能などの、基地局1070の様々な処理動作を実施する。処理装置1050は、以上でより詳細に記載されている方法および教示をサポートすることもできる。各処理装置1050は、1つまたは複数の動作を行うように構成された任意の適切な処理または計算デバイスを含む。各処理装置1050は、例えば、マイクロプロセッサ、マイクロコントローラ、デジタル信号プロセッサ、フィールドプログラマブルゲートアレイ、または特定用途向け集積回路を含むことができる。
【０１００】
各送受信機1052は、1台または複数のEDまたは他の機器への無線送信または有線送信の信号を生成するための任意の適切な構造を含む。各送受信機1052は、1台または複数のEDまたは他の機器から無線または有線で受信された信号を処理するための任意の適切な構造をさらに含む。送受信機1052として組み合わされて示されているが、送信機と受信機とは別個の構成要素とすることもできる。各アンテナ1056は、無線信号または有線信号を送信または受信するための任意の適切な構造を含む。ここでは共通のアンテナ1056が送受信機1052に結合されているものとして図示されているが、1つまたは複数のアンテナ1056が（1つまたは複数の）送受信機1052に結合されて、別々の構成要素として装備される場合に送信機と受信機とに別々のアンテナ1056が結合されるようにすることもできる。各メモリ1058は、任意の適切な揮発性または不揮発性の記憶装置および（1つまたは複数の）検索装置を含む。各入力／出力装置1066は、ユーザまたはネットワーク内の他の機器とのインタラクション（ネットワーク通信）を円滑化する。各入力／出力装置1066は、ネットワークインターフェース通信を含む、ユーザに情報を提供するか、またはユーザから情報を受け取る／提供するための任意の適切な構造を含む。
【０１０１】
図11は、本明細書で開示されるデバイスおよび方法を実施するために使用され得るコンピューティングシステム1100のブロック図である。例えば、コンピューティングシステムは、UE、アクセスネットワーク（AN）、モビリティ管理（MM）、セッション管理（SM）、ユーザプレーンゲートウェイ（UPGW）、またはアクセス層（AS）の任意のエンティティであり得る。個別のデバイスは、図示の構成要素のすべてを利用してもよく、またはこれらの構成要素の一部のみを利用してもよく、統合のレベルはデバイスごとに異なり得る。さらに、1台のデバイスが、複数の処理装置、プロセッサ、メモリ、送信機、受信機などといった、1つの構成要素の複数のインスタンスを含んでいてもよい。コンピューティングシステム1100は処理装置1102を含む。処理装置は、中央処理装置（CPU）1114、メモリ1108を含み、バス1120に接続された大容量記憶装置1104、ビデオアダプタ1110、および入出力インターフェース1112をさらに含み得る。
【０１０２】
バス1120は、メモリバスもしくはメモリコントローラ、周辺バス、またはビデオバスを含む任意のタイプのいくつかのバスアーキテクチャのうちの1つまたは複数であり得る。CPU1114は、任意のタイプの電子データプロセッサを含み得る。メモリ1108は、スタティックランダムアクセスメモリ（SRAM）、ダイナミックランダムアクセスメモリ（DRAM）、シンクロナスDRAM（SDRAM）、読取り専用メモリ（ROM）、またはこれらの組み合わせなどの任意のタイプの非一時的なシステムメモリを含み得る。一実施形態では、メモリ1108は、起動時に使用するためのROM、ならびにプログラムの実行中に使用するためのプログラムおよびデータ記憶用のDRAMを含み得る。
【０１０３】
大容量記憶装置1104は、データ、プログラム、および他の情報を格納し、データ、プログラム、および他の情報をバス1120を介してアクセス可能にするように構成された任意のタイプの非一時的な記憶装置を含み得る。大容量記憶装置1104は、例えば、ソリッドステートドライブ、ハードディスクドライブ、磁気ディスクドライブ、または光ディスクドライブのうちの1つまたは複数を含み得る。
【０１０４】
ビデオアダプタ1110および入出力インターフェース1112は、外部入力出力装置を処理装置1102に結合するためのインターフェースを提供する。図示のように、入力出力装置の例には、ビデオアダプタ1110に結合されたディスプレイ1118、および入出力インターフェース1112に結合されたマウス、キーボード、またはプリンタ1116が含まれる。処理装置1102には他のデバイスが結合されていてもよく、追加のインターフェースカードまたはより少ないインターフェースカードが利用されてもよい。例えば、外部デバイスのインターフェースを提供するために、ユニバーサルシリアルバス（USB）（図示されない）などのシリアルインターフェースが使用され得る。
【０１０５】
処理装置1102は1つまたは複数のネットワークインターフェース1106も含み、ネットワークインターフェース1106は、アクセスノードまたは異なるネットワークへの、イーサネットケーブルなどの有線リンクまたは無線リンクを含み得る。ネットワークインターフェース1106は、処理装置1102が、ネットワークを介してリモートユニットと通信することを可能にする。例えば、ネットワークインターフェース1106は、1つまたは複数の送信機／送信アンテナおよび1つまたは複数の受信機／受信アンテナを介した無線通信を提供し得る。一実施形態では、処理装置1102は、他の処理装置、インターネット、リモート記憶設備などのリモートデバイスとのデータ処理および通信のために、ローカルエリアネットワーク1122または広域ネットワークに結合されている。
【０１０６】
本明細書で提供される実施形態方法の1つまたは複数のステップは対応する装置またはモジュールによって行われ得ることを理解されたい。例えば、信号は、送信装置または送信モジュールによって送信され得る。信号は、受信装置または受信モジュールによって受信され得る。信号は、処理装置または処理モジュールによって処理され得る。他のステップは、生成装置もしくはモジュール、判断装置もしくはモジュール、プリコーディング装置もしくはモジュール、または割り振り装置もしくはモジュールによって行われ得る。それぞれの装置またはモジュールは、ハードウェア、ソフトウェア、またはそれらの組み合わせであり得る。例えば、装置またはモジュールのうちの1つまたは複数は、フィールドプログラマブルゲートアレイ（FPGA）や特定用途向け集積回路（ASIC）などの集積回路であり得る。
【０１０７】
本開示および本開示の利点を詳細に説明したが、添付の特許請求の範囲によって定義される本開示の趣旨および範囲を逸脱することなく本発明において様々な変更、置換および修正が行われることができることを理解されたい。
【符号の説明】
【０１０８】
100  無線通信システム
105  アクセスノード
110,112,114,116  UE
200  通信システム
205  アクセスノード
206  カバレッジエリア
210  UE
300,400,500,600,700,800  動作
900  通信システム
910a,910b,910c  電子機器
920a,920b  無線アクセスネットワーク
930  コアネットワーク
940  公衆交換電話網（PSTN）
950  インターネット
960  他のネットワーク
970a,970b  基地局
990  エアインターフェース
1000  処理装置
1002  送受信機
1004  アンテナまたはNIC（ネットワークインターフェースコントローラ）
1006  入力／出力
1008  メモリ
1010  ED
1050  処理装置
1052  送受信機
1056  アンテナ
1058  メモリ
1066  入力／出力装置、インターフェース
1070  基地局
1100  コンピューティングシステム
1102  処理装置
1104  大容量記憶装置
1106  ネットワークインターフェース
1108  メモリ
1110  ビデオアダプタ
1112  入出力インターフェース
1114  中央処理装置（CPU）
1116  マウス、キーボード、プリンタ
1118  ディスプレイ
1120  バス
1122  ローカルエリアネットワーク
【図１】
2020537426.tif 000007
【図２Ａ】
2020537426.tif 000008
【図２Ｂ】
2020537426.tif 000009
【図２Ｃ】
2020537426.tif 000010
【図３】
2020537426.tif 000011
【図４】
2020537426.tif 000012
【図５】
2020537426.tif 000013
【図６】
2020537426.tif 000014
【図７】
2020537426.tif 000015
【図８】
2020537426.tif 000016
【図９】
2020537426.tif 000017
【図１０Ａ】
2020537426.tif 000018
【図１０Ｂ】
2020537426.tif 000019
【図１１】
2020537426.tif 000020
【手続補正書】
【提出日】令和2年5月20日(2020.5.20)
【手続補正１】
【補正対象書類名】特許請求の範囲
【補正対象項目名】全文
【補正方法】変更
【補正の内容】
【特許請求の範囲】
【請求項１】
参照信号を指示するための方法であって、前記方法が、
アクセスノードが、SRS要求を生成するステップであって、前記SRS要求が、少なくとも1つのSRSと、前記少なくとも1つのSRSと関連付けられたCSI−RSとをトリガするために使用される、ステップと、
前記アクセスノードが、前記SRS要求をユーザ機器（UE）に送信するステップと
を含む、方法。
【請求項２】
前記アクセスノードが、前記SRS要求が送信される同じスロットで前記UEに前記CSI−RSを送信するステップ
をさらに含む、請求項1に記載の方法。
【請求項３】
前記アクセスノードが、前記UEから前記少なくとも1つのSRSを受信するステップであって、前記少なくとも1つのSRSが、前記UEによって前記CSI−RSに基づいて選択された少なくとも1つの候補プリコーダでプリコードされている、ステップと、
前記アクセスノードが、前記少なくとも1つのSRSに基づいて少なくとも1つのプリコーダを選択するステップと、
前記アクセスノードが、前記UEに指示を送信するステップであって、前記指示が前記アクセスノードによって選択された前記少なくとも1つのプリコーダを指示する、ステップと
をさらに含む、請求項1に記載の方法。
【請求項４】
前記指示が上りリンク（UL）グラントメッセージで送信される、請求項3に記載の方法。
【請求項５】
前記アクセスノードによって選択された前記少なくとも1つのプリコーダが、物理上り共有チャネル（PUSCH）上の伝送をプリコードするために使用される、請求項3に記載の方法。
【請求項６】
参照信号を指示するための方法であって、前記方法が、
ユーザ機器（UE）が、アクセスノードからSRS要求を受信するステップであって、前記SRS要求が、少なくとも1つのSRSと、前記少なくとも1つのSRSと関連付けられたCSI−RSとをトリガするために使用される、ステップと、
前記UEが、前記アクセスノードから前記CSI−RSを受信するステップと
を含む、方法。
【請求項７】
前記CSI−RSが、前記SRS要求が送信される同じスロットで前記アクセスノードによって送信される、請求項6に記載の方法。
【請求項８】
前記UEが、前記CSI−RSに基づいて少なくとも1つの候補プリコーダを計算するステップと、
前記UEが、前記少なくとも1つの候補プリコーダで前記少なくとも1つのSRSをプリコードするステップと、
前記UEが、前記少なくとも1つのSRSを前記アクセスノードに送信するステップと
をさらに含む、請求項6に記載の方法。
【請求項９】
前記UEが、前記アクセスノードから指示を受信するステップであって、前記指示が、前記少なくとも1つのSRS上のアクセスノードベースによって選択された少なくとも1つのプリコーダを指示する、ステップ
をさらに含む、請求項6に記載の方法。
【請求項１０】
前記指示が上りリンク（UL）グラントメッセージで送信される、請求項9に記載の方法。
【請求項１１】
前記アクセスノードによって選択された少なくとも1つのプリコーダが、物理上り共有チャネル（PUSCH）上の伝送をプリコードするために使用される、請求項9に記載の方法。
【請求項１２】
命令を含む非一時的メモリストレージと、
前記メモリストレージと通信する1つまたは複数のプロセッサであって、前記1つまたは複数のプロセッサが、
SRS要求を生成する命令であって、前記SRS要求が、少なくとも1つのSRSと、前記少なくとも1つのSRSと関連付けられたCSI−RSとをトリガするために使用される、命令と、
前記SRS要求をユーザ機器（UE）に送信する命令と
を実行する、前記1つまたは複数のプロセッサと
を含む、アクセスノード。
【請求項１３】
前記1つまたは複数のプロセッサが、
前記CSI−RSを前記SRS要求が送信される同じスロットで前記UEに送信する命令
を実行する、請求項12に記載のアクセスノード。
【請求項１４】
前記1つまたは複数のプロセッサが、
前記UEから前記少なくとも1つのSRSを受信する命令であって、前記少なくとも1つのSRSが、前記UEによって前記CSI−RSに基づいて選択された少なくとも1つの候補プリコーダでプリコードされている、命令と、
前記少なくとも1つのSRSに基づいて少なくとも1つのプリコーダを選択する命令と、
前記UEに指示を送信する命令であって、前記指示が前記アクセスノードによって選択された前記少なくとも1つのプリコーダを指示する、命令と
を実行する、請求項12に記載のアクセスノード。
【請求項１５】
前記指示が上りリンク（UL）グラントメッセージで送信される、請求項14に記載のアクセスノード。
【請求項１６】
前記アクセスノードによって選択された前記少なくとも1つのプリコーダが、物理上り共有チャネル（PUSCH）上の伝送をプリコードするために使用される、請求項14に記載のアクセスノード。
【請求項１７】
命令を含む非一時的メモリストレージと、
前記メモリストレージと通信する1つまたは複数のプロセッサであって、前記1つまたは複数のプロセッサが、
アクセスノードからSRS要求を受信する命令であって、前記SRS要求が、少なくとも1つのSRSと、前記少なくとも1つのSRSと関連付けられたCSI−RSとをトリガするために使用される、命令と、
前記アクセスノードから前記CSI−RSを受信する命令と
を実行する、1つまたは複数のプロセッサと
を含む、ユーザ機器（UE）。
【請求項１８】
前記CSI−RSが、前記SRS要求が送信される同じスロットで前記アクセスノードによって送信される、請求項17に記載のUE。
【請求項１９】
前記1つまたは複数のプロセッサが、
前記CSI−RSに基づいて少なくとも1つの候補プリコーダを計算する命令と、
前記少なくとも1つの候補プリコーダで前記少なくとも1つのSRSをプリコードする命令と、
前記少なくとも1つのSRSを前記アクセスノードに送信する命令と
を実行する、請求項17に記載のUE。
【請求項２０】
前記1つまたは複数のプロセッサが、
前記アクセスノードから指示を受信する命令であって、前記指示が、前記少なくとも1つのSRS上のアクセスノードベースによって選択された少なくとも1つのプリコーダを指示する、命令
を実行する、請求項17に記載のUE。
【請求項２１】
前記指示が上りリンク（UL）グラントメッセージで送信される、請求項20に記載のUE。
【請求項２２】
前記アクセスノードによって選択された少なくとも1つのプリコーダが、物理上り共有チャネル（PUSCH）上の伝送をプリコードするために使用される、請求項20に記載のUE。
【請求項２３】
SRS要求を生成するように構成された処理装置であって、前記SRS要求が、少なくとも1つのSRSと、前記少なくとも1つのSRSと関連付けられたCSI−RSとをトリガするために使用される、処理装置と、
前記SRS要求をユーザ機器（UE）に送信するように構成された送受信機と
を含む、アクセスノード。
【請求項２４】
前記送受信機が、前記SRS要求が送信される同じスロットで前記UEに前記CSI−RSを送信する
をさらに含む、請求項23に記載のアクセスノード。
【請求項２５】
前記送受信機が前記UEから前記少なくとも1つのSRSを受信し、前記少なくとも1つのSRSが、前記UEによって前記CSI−RSに基づいて選択された少なくとも1つの候補プリコーダでプリコードされ、
前記処理装置が前記少なくとも1つのSRSに基づいて少なくとも1つのプリコーダを選択し、
前記送受信機が前記UEに指示を送信し、前記指示が前記アクセスノードによって選択された前記少なくとも1つのプリコーダを指示する
をさらに含む、請求項23に記載のアクセスノード。
【請求項２６】
前記指示が上りリンク（UL）グラントメッセージで送信される、請求項25に記載のアクセスノード。
【請求項２７】
前記アクセスノードによって選択された前記少なくとも1つのプリコーダが、物理上り共有チャネル（PUSCH）上の伝送をプリコードするために使用される、請求項25に記載のアクセスノード。
【請求項２８】
アクセスノードからSRS要求を受信するように構成された送受信機であって、前記SRS要求が、少なくとも1つのSRSと、前記少なくとも1つのSRSと関連付けられたCSI−RSとをトリガするために使用され、
前記送受信機が前記アクセスノードから前記CSI−RSを受信する、送受信機
を含む、ユーザ機器（UE）。
【請求項２９】
前記CSI−RSが、前記SRS要求が送信される同じスロットで前記アクセスノードによって送信される、請求項28に記載のUE。
【請求項３０】
前記CSI−RSに基づいて少なくとも1つの候補プリコーダを計算するように構成された処理装置であって、
前記処理装置が前記少なくとも1つの候補プリコーダで前記少なくとも1つのSRSをプリコードし、
前記送受信機が前記少なくとも1つのSRSを前記アクセスノードに送信する、処理装置
をさらに含む、請求項28に記載のUE。
【請求項３１】
前記送受信機が前記アクセスノードから指示を受信し、前記指示が、前記少なくとも1つのSRS上のアクセスノードベースによって選択された少なくとも1つのプリコーダを指示する
をさらに含む、請求項28に記載のUE。
【請求項３２】
前記指示が上りリンク（UL）グラントメッセージで送信される、請求項31に記載のUE。
【請求項３３】
前記アクセスノードによって選択された少なくとも1つのプリコーダが、物理上り共有チャネル（PUSCH）上の伝送をプリコードするために使用される、請求項31に記載のUE。
【国際調査報告】
2020537426.tif 000021
2020537426.tif 000022